(57)【要約】  本願は情報伝送方法、端末装置及びネットワーク装置を開示し、該方法は、端末装置はダウンリンクデータに対するフィードバック情報を搬送するシーケンスを取得するための第１シーケンスを取得するステップと、前記端末装置は前記ネットワーク装置から送信されるターゲットダウンリンクデータに基づき、前記ターゲットダウンリンクデータに対するターゲットフィードバック情報を確定するステップと、前記端末装置は前記第１シーケンスに基づき、前記ターゲットフィードバック情報を搬送するための第２シーケンスを確定するステップと、前記端末装置は前記ネットワーク装置に前記第２シーケンスを送信するステップと、を含む。従って、端末装置はアップリンク制御情報を搬送するためのシーケンスを効率的に取得することができる。
2020518181.tif 000002
【特許請求の範囲】
【請求項１】
情報伝送方法であって、
端末装置が、ダウンリンクデータに対するフィードバック情報を搬送するシーケンスを取得するための第１シーケンスを取得するステップと、
前記端末装置が、前記ネットワーク装置から送信されるターゲットダウンリンクデータに基づき、前記ターゲットダウンリンクデータに対するターゲットフィードバック情報を確定するステップと、
前記端末装置が、前記第１シーケンスに基づき、前記ターゲットフィードバック情報を搬送するための第２シーケンスを確定するステップと、
前記端末装置は、前記ネットワーク装置に前記第２シーケンスを送信するステップと、を含むことを特徴とする方法。
【請求項２】
前記端末装置が前記第１シーケンスに基づき、前記ターゲットフィードバック情報を搬送するための第２シーケンスを確定することは、
前記端末装置が、前記第１シーケンスに基づき、複数のシーケンスのうちの前記第１シーケンス以外のシーケンスを確定するステップであって、前記複数のシーケンスが複数種のフィードバック情報と第１マッピング関係を満たすステップと、
前記端末装置が、前記ターゲットフィードバック情報、及び前記第１マッピング関係に基づき、前記複数のシーケンスから、前記ターゲットフィードバック情報に対応する前記第２シーケンスを確定するステップと、を含むことを特徴とする請求項１に記載の方法。
【請求項３】
前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項２に記載の方法。
【請求項４】
前記伝送パラメータの値をｎとし、前記複数のシーケンスの数は２ｎ（ｎが正の整数である）であることを特徴とする請求項３に記載の方法。
【請求項５】
前記端末装置が前記第１シーケンスに基づき、複数のシーケンスのうちの前記第１シーケンス以外のシーケンスを確定する前に、
前記端末装置が、前記ネットワーク装置から送信される前記伝送パラメータを受信するステップをさらに含むことを特徴とする請求項３又は４に記載の方法。
【請求項６】
前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しいことを特徴とする請求項２〜５のいずれか一項に記載の方法。
【請求項７】
前記端末装置が前記第１シーケンスに基づき、複数のシーケンスのうちの前記第１シーケンス以外のシーケンスを確定する前に、
前記端末装置が、前記ネットワーク装置から送信される第１構成情報を受信するステップであって、前記第１構成情報が、前記各シーケンスに対応するオフセット値を含む、ステップをさらに含むことを特徴とする請求項６に記載の方法。
【請求項８】
前記端末装置が前記第１シーケンスに基づき、複数のシーケンスのうちの前記第１シーケンス以外のシーケンスを確定する前に、
前記端末装置が、前記ネットワーク装置から送信される第２構成情報を受信するステップであって、前記第２構成情報が前記第１マッピング関係を含む、ステップをさらに含むことを特徴とする請求項２〜７のいずれか一項に記載の方法。
【請求項９】
前記第１マッピング関係は前記端末装置と前記ネットワーク装置によって事前に決められることを特徴とする請求項２〜７のいずれか一項に記載の方法。
【請求項１０】
前記端末装置が前記第１シーケンスに基づき、前記ターゲットフィードバック情報を搬送するための第２シーケンスを確定することは、
前記端末装置が、前記ターゲットフィードバック情報、及び第２マッピング関係に基づき、複数のオフセット値から前記ターゲットフィードバック情報に対応するターゲットオフセット値を確定するステップであって、前記第２マッピング関係が、前記複数のオフセット値と複数種のフィードバック情報との対応関係を示す、ステップと、
前記端末装置が、前記第１シーケンスと前記ターゲットオフセット値に基づき前記第２シーケンスを確定するステップと、を含むことを特徴とする請求項１に記載の方法。
【請求項１１】
前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項１０に記載の方法。
【請求項１２】
前記伝送パラメータの値をｎとし、前記複数のオフセット値の数は２ｎ（ｎが正の整数である）であることを特徴とする請求項１１に記載の方法。
【請求項１３】
前記端末装置が複数のオフセット値を確定する前に、
前記端末装置が、前記ネットワーク装置から送信される前記伝送パラメータを受信するステップをさらに含むことを特徴とする請求項１１又は１２に記載の方法。
【請求項１４】
前記第２シーケンスのシーケンス番号は、前記第１シーケンスのシーケンス番号と前記ターゲットオフセット値との和に等しいことを特徴とする請求項１０〜１３のいずれか一項に記載の方法。
【請求項１５】
前記端末装置が、前記ターゲットフィードバック情報、及び前記第２マッピング関係に基づき、前記複数のオフセット値から前記ターゲットフィードバック情報に対応するターゲットオフセット値を確定する前に、
前記端末装置が、前記ネットワーク装置から送信される第３構成情報であって、前記第２マッピング関係を含む第３構成情報を受信するステップ、をさらに含むことを特徴とする請求項１０〜１４のいずれか一項に記載の方法。
【請求項１６】
前記第２マッピング関係は前記端末装置と前記ネットワーク装置によって事前に決められることを特徴とする請求項１０〜１４のいずれか一項に記載の方法。
【請求項１７】
前記端末装置が第１シーケンスを取得することは、
前記端末装置が、前記ネットワーク装置から送信されるシーケンス指示情報であって、前記第１シーケンスを明示的又は黙示的に指示するためのシーケンス指示情報を受信するステップを含むことを特徴とする請求項１〜１６のいずれか一項に記載の方法。
【請求項１８】
前記端末装置が第１シーケンスを取得することは、
前記端末装置が、前記ネットワーク装置から送信されるシーケンス指示情報を受信するステップと、
前記端末装置が、前記シーケンス指示情報を受信するための物理リソースに基づき、前記物理リソースに対応する前記第１シーケンスを確定するステップと、を含むことを特徴とする請求項１７に記載の方法。
【請求項１９】
情報伝送方法であって、
ネットワーク装置が、シーケンス指示情報を端末装置に送信するステップであって、前記シーケンス指示情報が第１シーケンスを指示することに用いられ、前記第１シーケンスがダウンリンクデータに対するフィードバック情報を搬送するシーケンスを取得することに用いられる、ステップと、
前記ネットワーク装置が、ターゲットダウンリンクデータを前記端末装置に送信するステップと、
前記ネットワーク装置が、前記端末装置が前記第１シーケンスに基づいて送信する第２シーケンスであって、前記ターゲットダウンリンクデータに対するターゲットフィードバック情報を搬送するための第２シーケンスを受信するステップと、を含むことを特徴とする方法。
【請求項２０】
前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項１９に記載の方法。
【請求項２１】
前記伝送パラメータの値をｎとし、前記複数のシーケンスの数は２ｎ（ｎが正の整数である）であることを特徴とする請求項２０に記載の方法。
【請求項２２】
前記ネットワーク装置が、前記端末装置が第１シーケンスに基づいて送信する第２シーケンスを受信する前に、
前記ネットワーク装置が、前記伝送パラメータを前記端末装置に送信するステップをさらに含むことを特徴とする請求項２０又は２１に記載の方法。
【請求項２３】
前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しいことを特徴とする請求項１９〜２２のいずれか一項に記載の方法。
【請求項２４】
前記ネットワーク装置が、前記端末装置が第１シーケンスに基づいて送信する第２シーケンスを受信する前に、
前記ネットワーク装置が、前記各シーケンスに対応するオフセット値を含む第１構成情報を前記端末装置に送信するステップをさらに含むことを特徴とする請求項２３に記載の方法。
【請求項２５】
前記ネットワーク装置が、前記端末装置が第１シーケンスに基づいて送信する第２シーケンスを受信する前に、
前記ネットワーク装置が、第２構成情報を前記端末装置に送信するステップであって、前記第２構成情報が第１マッピング関係を含み、第１マッピング関係が、複数のシーケンスと複数種のフィードバック情報との対応関係を示すことに用いられるステップ、をさらに含むことを特徴とする請求項１９〜２４のいずれか一項に記載の方法。
【請求項２６】
前記ネットワーク装置が前記端末装置が第１シーケンスに基づいて送信する第２シーケンスを受信する前に、
前記ネットワーク装置が、第３構成情報を前記端末装置に送信するステップであって、前記第３構成情報が第２マッピング関係を含み、前記第２マッピング関係が、複数のオフセット値と前記複数種のフィードバック情報との対応関係を示すことに用いられる、ステップをさらに含むことを特徴とする請求項１９〜２４のいずれか一項に記載の方法。
【請求項２７】
端末装置であって、取得ユニット、確定ユニット、及び送信ユニットを備え、
前記取得ユニットは、ダウンリンクデータに対するフィードバック情報を搬送するシーケンスを取得するための第１シーケンスを取得するように構成され、
前記確定ユニットは、前記ネットワーク装置から送信されるターゲットダウンリンクデータに基づき、前記ターゲットダウンリンクデータに対するターゲットフィードバック情報を確定するように構成され、
前記確定ユニットはさらに、前記取得ユニットによって取得された前記第１シーケンスに基づき、前記ターゲットフィードバック情報を搬送するための第２シーケンスを確定するように構成され、
前記送信ユニットは、前記確定ユニットによって確定される前記第２シーケンスを前記ネットワーク装置に送信するように構成されることを特徴とする端末装置。
【請求項２８】
前記確定ユニットは、具体的には、
前記第１シーケンスに基づき、複数のシーケンスのうちの前記第１シーケンス以外のシーケンスを確定するように構成され、前記複数のシーケンスが複数種のフィードバック情報と第１マッピング関係を満たし、及び
前記端末装置が、前記ターゲットフィードバック情報、及び前記第１マッピング関係に基づき、前記複数のシーケンスから、前記ターゲットフィードバック情報に対応する前記第２シーケンスを確定するように構成されることを特徴とする請求項２７に記載の端末装置。
【請求項２９】
前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項２８に記載の端末装置。
【請求項３０】
前記伝送パラメータの値をｎとし、前記複数のシーケンスの数は２ｎ（ｎが正の整数である）であることを特徴とする請求項２９に記載の端末装置。
【請求項３１】
前記端末装置は受信ユニットをさらに備え、前記受信ユニットは、
前記確定ユニットが前記第１シーケンスに基づき複数のシーケンスのうちの前記第１シーケンス以外のシーケンスを確定する前に、前記ネットワーク装置から送信される前記伝送パラメータを受信するように構成されることを特徴とする請求項２９又は３０に記載の端末装置。
【請求項３２】
前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しいことを特徴とする請求項２８〜３１のいずれか一項に記載の端末装置。
【請求項３３】
前記受信ユニットはさらに、
前記確定ユニットが前記第１シーケンスに基づき複数のシーケンスのうちの前記第１シーケンス以外のシーケンスを確定する前に、前記ネットワーク装置から送信される第１構成情報を受信するように構成され、前記第１構成情報が、前記各シーケンスに対応するオフセット値を含むことを特徴とする請求項３２に記載の端末装置。
【請求項３４】
前記受信ユニットはさらに、
前記確定ユニットが前記第１シーケンスに基づき複数のシーケンスのうちの前記第１シーケンス以外のシーケンスを確定する前に、前記ネットワーク装置から送信される第２構成情報を受信するように構成され、前記第２構成情報が前記第１マッピング関係を含むことを特徴とする請求項２８〜３３のいずれか一項に記載の端末装置。
【請求項３５】
前記第１マッピング関係は前記端末装置と前記ネットワーク装置によって事前に決められることを特徴とする請求項２８〜３３のいずれか一項に記載の端末装置。
【請求項３６】
前記確定ユニットは具体的には、
前記ターゲットフィードバック情報、及び第２マッピング関係に基づき、複数のオフセット値から前記ターゲットフィードバック情報に対応するターゲットオフセット値を確定するように構成され、前記第２マッピング関係が、前記複数のオフセット値と複数種のフィードバック情報との対応関係を示し、及び
前記第１シーケンスと前記ターゲットオフセット値に基づき前記第２シーケンスを確定するように構成されることを特徴とする請求項２７に記載の端末装置。
【請求項３７】
前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項３６に記載の端末装置。
【請求項３８】
前記伝送パラメータの値をｎとし、前記複数のオフセット値の数は２ｎ（ｎが正の整数である）であることを特徴とする請求項３７に記載の端末装置。
【請求項３９】
前記端末装置は受信ユニットをさらに備え、前記受信ユニットは、
前記確定ユニットが複数のオフセット値を確定する前に、前記ネットワーク装置から送信される前記伝送パラメータを受信するように構成されることを特徴とする請求項３７又は３８に記載の端末装置。
【請求項４０】
前記第２シーケンスのシーケンス番号は前記第１シーケンスのシーケンス番号と前記ターゲットオフセット値との和に等しいことを特徴とする請求項３６〜３９のいずれか一項に記載の端末装置。
【請求項４１】
前記受信ユニットはさらに、
前記確定ユニットが前記ターゲットフィードバック情報、及び前記第２マッピング関係に基づき、前記複数のオフセット値から前記ターゲットフィードバック情報に対応するターゲットオフセット値を確定する前に、前記ネットワーク装置から送信される第３構成情報であって、前記第２マッピング関係を含む第３構成情報を受信するように構成されることを特徴とする請求項３６〜４０のいずれか一項に記載の端末装置。
【請求項４２】
前記第２マッピング関係は前記端末装置と前記ネットワーク装置によって事前に決められることを特徴とする請求項３６〜４０のいずれか一項に記載の端末装置。
【請求項４３】
前記取得ユニットは具体的には、
前記ネットワーク装置から送信されるシーケンス指示情報であって、前記第１シーケンスを明示的又は黙示的に指示するためのシーケンス指示情報を受信するように構成されることを特徴とする請求項３６〜４２のいずれか一項に記載の端末装置。
【請求項４４】
前記取得ユニットは具体的には、
前記ネットワーク装置から送信されるシーケンス指示情報を受信し、
前記シーケンス指示情報を受信するための物理リソースに基づき、前記物理リソースに対応する前記第１シーケンスを確定するように構成されることを特徴とする請求項４３に記載の端末装置。
【請求項４５】
ネットワーク装置であって、送信ユニット、及び受信ユニットを備え、
前記送信ユニットは、シーケンス指示情報を端末装置に送信するように構成され、前記シーケンス指示情報が第１シーケンスを指示することに用いられ、前記第１シーケンスがダウンリンクデータに対するフィードバック情報を搬送するシーケンスを取得することに用いられ、
前記送信ユニットはさらに、ターゲットダウンリンクデータを前記端末装置に送信するように構成され、
前記受信ユニットは、前記端末装置が前記第１シーケンスに基づいて送信する第２シーケンスであって、前記ターゲットダウンリンクデータに対するターゲットフィードバック情報を搬送するための第２シーケンスを受信することを特徴とするネットワーク装置。
【請求項４６】
前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項４５に記載のネットワーク装置。
【請求項４７】
前記伝送パラメータの値をｎとし、前記複数のシーケンスの数は２ｎ（ｎが正の整数である）であることを特徴とする請求項４６に記載のネットワーク装置。
【請求項４８】
前記送信ユニットはさらに、
前記受信ユニットは前記端末装置が第１シーケンスに基づいて送信する第２シーケンスを受信する前に、前記伝送パラメータを前記端末装置に送信するように構成されることを特徴とする請求項４５又は４６に記載のネットワーク装置。
【請求項４９】
前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しいことを特徴とする請求項４５〜４８のいずれか一項に記載のネットワーク装置。
【請求項５０】
前記送信ユニットはさらに、
前記受信ユニットは前記端末装置が第１シーケンスに基づいて送信する第２シーケンスを受信する前に、前記各シーケンスに対応するオフセット値を含む第１構成情報を前記端末装置に送信するように構成されることを特徴とする請求項４９に記載のネットワーク装置。
【請求項５１】
前記送信ユニットはさらに、
前記受信ユニットは前記端末装置が第１シーケンスに基づいて送信する第２シーケンスを受信する前に、第２構成情報を前記端末装置に送信するように構成され、前記第２構成情報が第１マッピング関係を含み、第１マッピング関係が、複数のシーケンスと複数種のフィードバック情報との対応関係を示すことに用いられることを特徴とする請求項４５〜５０のいずれか一項に記載のネットワーク装置。
【請求項５２】
前記送信ユニットはさらに、
前記受信ユニットは前記端末装置が第１シーケンスに基づいて送信する第２シーケンスを受信する前に、第３構成情報を前記端末装置に送信するように構成され、前記第３構成情報が第２マッピング関係を含み、前記第２マッピング関係が、複数のオフセット値と前記複数種のフィードバック情報との対応関係を示すことに用いられることを特徴とする請求項４５〜５０のいずれか一項に記載のネットワーク装置。
【発明の詳細な説明】
【技術分野】
【０００１】
本願の実施例は無線通信分野に関し、より具体的には、情報伝送方法、端末装置及びネットワーク装置に関する。
【背景技術】
【０００２】
５Ｇシステム、又は新無線（ＮＲ：Ｎｅｗ  Ｒａｄｉｏ）では、２種類の異なる長さの物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、すなわち短いＰＵＣＣＨ（ｓｈｏｒｔ−ＰＵＣＣＨ）と長いＰＵＣＣＨ（ｌｏｎｇ−ＰＵＣＣＨ）をサポートする。短いＰＵＣＣＨは１個又は２個の時間領域シンボルを占有し、長いＰＵＣＣＨは少なくとも４個の時間領域シンボルを占有する。短いＰＵＣＣＨを用いて１ビット又は２ビットのアップリンク制御情報を伝送する場合、異なるアップリンク制御情報が異なるシーケンスを用いて伝送されることができる。端末装置は実際フィードバックするアップリンク制御情報に応じてシーケンスを選択し、且つ該シーケンスを伝送する必要があり、したがって、端末装置は該アップリンク制御情報を搬送するためのシーケンスを効率的に取得する必要がある。
【発明の概要】
【発明が解決しようとする課題】
【０００３】
本願の実施例は情報伝送方法、端末装置及びネットワーク装置を提供し、端末装置はアップリンク制御情報を搬送するためのシーケンスを効率的に取得することができる。
【課題を解決するための手段】
【０００４】
第１態様によれば、情報伝送方法を提供し、端末装置はダウンリンクデータに対するフィードバック情報を搬送するシーケンスを取得するための第１シーケンスを取得するステップと、前記端末装置は前記ネットワーク装置から送信されるターゲットダウンリンクデータに基づき、前記ターゲットダウンリンクデータに対するターゲットフィードバック情報を確定するステップと、前記端末装置は前記第１シーケンスに基づき、前記ターゲットフィードバック情報を搬送するための第２シーケンスを確定するステップと、前記端末装置は前記ネットワーク装置に前記第２シーケンスを送信するステップと、を含む。
【０００５】
従って、端末装置は第１シーケンスによって現在のダウンリンクデータに対するフィードバック情報を搬送する第２シーケンスを取得することで、アップリンク制御情報を搬送するためのシーケンスを効率的に確定することができる。
【０００６】
好ましくは、第１態様の一実施形態では、前記端末装置が前記第１シーケンスに基づき、前記ターゲットフィードバック情報を搬送するための第２シーケンスを確定することは、前記端末装置が前記第１シーケンスに基づき、複数種のフィードバック情報と第１マッピング関係を満たす複数のシーケンスのうちの前記第１シーケンス以外のシーケンスを確定するステップと、前記端末装置が前記ターゲットフィードバック情報、及び前記第１マッピング関係に基づき、前記複数のシーケンスから、前記ターゲットフィードバック情報に対応する前記第２シーケンスを確定するステップと、を含む。
【０００７】
好ましくは、第１態様の一実施形態では、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０００８】
好ましくは、第１態様の一実施形態では、前記伝送パラメータの値をｎとし、前記複数のシーケンスの数は２ｎ（ｎが正の整数である）である。
【０００９】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される前記伝送パラメータを受信するステップをさらに含む。
【００１０】
好ましくは、第１態様の一実施形態では、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【００１１】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される第１構成情報であって、前記各シーケンスに対応するオフセット値を含む第１構成情報を受信するステップをさらに含む。
【００１２】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される第２構成情報であって、前記第１マッピング関係を含む第２構成情報を受信するステップをさらに含む。
【００１３】
好ましくは、第１態様の一実施形態では、前記第１マッピング関係は前記端末装置と前記ネットワーク装置によって事前に決められる。
【００１４】
好ましくは、第１態様の一実施形態では、前記端末装置が前記第１シーケンスに基づき、前記ターゲットフィードバック情報を搬送するための第２シーケンスを確定することは、端末が、前記ターゲットフィードバック情報、及び前記複数のオフセット値と複数種のフィードバック情報との対応関係を示す第２マッピング関係に基づき、複数のオフセット値から前記ターゲットフィードバック情報に対応するターゲットオフセット値を確定するステップと、前記端末装置が前記第１シーケンスと前記ターゲットオフセット値に基づき前記第２シーケンスを確定するステップと、を含む。
【００１５】
好ましくは、第１態様の一実施形態では、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００１６】
好ましくは、第１態様の一実施形態では、前記伝送パラメータの値をｎとし、前記複数のシーケンスの数は２ｎ（ｎが正の整数である）である。
【００１７】
好ましくは、第１態様の一実施形態では、前記端末装置が複数のオフセット値を確定する前に、前記方法は、前記端末装置が前記ネットワーク装置から送信される前記伝送パラメータを受信するステップをさらに含む。
【００１８】
好ましくは、第１態様の一実施形態では、前記第２シーケンスのシーケンス番号は前記第１シーケンスのシーケンス番号と前記ターゲットオフセット値との和に等しい。
【００１９】
好ましくは、第１態様の一実施形態では、前記端末が前記ターゲットフィードバック情報、及び前記第２マッピング関係に基づき、前記複数のオフセット値から前記ターゲットフィードバック情報に対応するターゲットオフセット値を確定する前に、前記方法は、前記端末装置が前記ネットワーク装置から送信される第３構成情報であって、前記第２マッピング関係を含む第３構成情報を受信するステップをさらに含む。
【００２０】
好ましくは、第１態様の一実施形態では、前記第２マッピング関係は前記端末装置と前記ネットワーク装置によって事前に決められる。
【００２１】
好ましくは、第１態様の一実施形態では、前記端末装置が第１シーケンスを取得することは、前記端末装置が前記ネットワーク装置から送信されるシーケンス指示情報であって、前記第１シーケンスを明示的又は黙示的に指示するためのシーケンス指示情報を受信するステップを含む。
【００２２】
好ましくは、第１態様の一実施形態では、前記端末装置が第１シーケンスを取得することは、前記端末装置が前記ネットワーク装置から送信されるシーケンス指示情報を受信するステップと、前記端末装置が前記シーケンス指示情報を受信するための物理リソースに基づき、前記物理リソースに対応する前記第１シーケンスを確定するステップと、を含む。
【００２３】
第２態様によれば、情報伝送方法を提供し、ネットワーク装置はダウンリンクデータに対するフィードバック情報を搬送するシーケンスを取得するための第１シーケンスを指示するためのシーケンス指示情報を端末装置に送信するステップと、前記ネットワーク装置はターゲットダウンリンクデータを前記端末装置に送信するステップと、前記ネットワーク装置は前記端末装置が前記第１シーケンスに基づいて送信する第２シーケンスであって、前記ターゲットダウンリンクデータに対するターゲットフィードバック情報を搬送するための第２シーケンスを受信するステップと、を含む。
【００２４】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【００２５】
好ましくは、第２態様の一実施形態では、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００２６】
好ましくは、第２態様の一実施形態では、前記伝送パラメータの値をｎとし、前記複数のシーケンスの数は２ｎ（ｎが正の整数である）である。
【００２７】
好ましくは、第２態様の一実施形態では、前記ネットワーク装置は前記端末装置が第１シーケンスに基づいて送信する第２シーケンスを受信する前に、前記方法は、前記ネットワーク装置が前記伝送パラメータを前記端末装置に送信するステップをさらに含む。
【００２８】
好ましくは、第２態様の一実施形態では、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【００２９】
好ましくは、第２態様の一実施形態では、前記ネットワーク装置は前記端末装置が第１シーケンスに基づいて送信する第２シーケンスを受信する前に、前記方法は、前記ネットワーク装置が前記各シーケンスに対応するオフセット値を含む第１構成情報を前記端末装置に送信するステップをさらに含む。
【００３０】
好ましくは、第２態様の一実施形態では、前記ネットワーク装置は前記端末装置が第１シーケンスに基づいて送信する第２シーケンスを受信する前に、前記方法は、前記ネットワーク装置が、複数のシーケンスと複数種のフィードバック情報との対応関係を示すための前記第１マッピング関係を含む第２構成情報を前記端末装置に送信するステップをさらに含む。
【００３１】
好ましくは、第２態様の一実施形態では、前記ネットワーク装置は前記端末装置が第１シーケンスに基づいて送信する第２シーケンスを受信する前に、前記方法は、前記ネットワーク装置が、複数のオフセット値と前記複数種のフィードバック情報との対応関係を示すための第２マッピング関係を含む第３構成情報を前記端末装置に送信するステップをさらに含む。
【００３２】
第３態様によれば、端末装置を提供し、該端末装置は上記第１態様又は第１態様の可能な実施形態のいずれかに記載の端末装置の操作を実行できる。具体的には、該端末装置は上記第１態様又は第１態様の可能な実施形態のいずれかに記載の端末装置の操作を実行するためのモジュールユニットを備える。
【００３３】
第４態様によれば、ネットワーク装置を提供し、該ネットワーク装置は上記第２態様又は第２態様の可能な実施形態のいずれかに記載のネットワーク装置の操作を実行できる。具体的には、該ネットワーク装置は上記第２態様又は第２態様の可能な実施形態のいずれかに記載のネットワーク装置の操作を実行するためのモジュールユニットを備える。
【００３４】
第５態様によれば、端末装置を提供し、該端末装置はプロセッサ、送受信機及びメモリを備える。該プロセッサ、送受信機及びメモリは内部接続通路を介して相互に通信する。該メモリは命令を記憶し、該プロセッサは該メモリに記憶される命令を実行する。該プロセッサが該メモリに記憶される命令を実行する時、該端末装置に第１態様又は第１態様の可能な実施形態のいずれかに記載の方法を実行させ、又は該端末装置に第３態様に係る端末装置を実現させる。
【００３５】
第６態様によれば、ネットワーク装置を提供し、該ネットワーク装置はプロセッサ、送受信機及びメモリを備える。該プロセッサ、送受信機及びメモリは内部接続通路を介して相互に通信する。該メモリは命令を記憶し、該プロセッサは該メモリに記憶される命令を実行する。該プロセッサが該メモリに記憶される命令を実行する時、該ネットワーク装置に第２態様又は第２態様の可能な実施形態のいずれかに記載の方法を実行させ、又は該ネットワーク装置に第４態様に係るネットワーク装置を実現させる。
【００３６】
第７態様によれば、コンピュータ可読記憶媒体を提供し、ネットワーク装置に上記第１態様、及びその各種の実施形態のいずれかに記載の情報伝送方法を実行させるプログラムが記憶される。
【００３７】
第８態様によれば、コンピュータ可読記憶媒体を提供し、ネットワーク装置に上記第２態様、及びその各種の実施形態のいずれかに記載の情報伝送方法を実行させるプログラムが記憶される。
【００３８】
第９態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第１態様及びその各種の実施形態のいずれかに記載の方法を実現できる。
【００３９】
第１０態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第２態様及びその各種の実施形態のいずれかに記載の方法を実現できる。
【図面の簡単な説明】
【００４０】
【図１】図１は本願の実施例の応用シーンの概略構成図である。
【図２】図２は本願の実施例に係る情報伝送方法の概略フローチャートである。
【図３】図３は本願の実施例に係る情報伝送方法の概略フローチャートである。
【図４】図４は本願の実施例に係る情報伝送方法の概略フローチャートである。
【図５】図５は本願の実施例に係る情報伝送方法の概略フローチャートである。
【図６】図６は本願の実施例に係る端末装置の概略ブロック図である。
【図７】図７は本願の実施例に係るネットワーク装置の概略ブロック図である。
【図８】図８は本願の実施例に係る端末装置の概略構成図である。
【図９】図９は本願の実施例に係るネットワーク装置の概略構成図である。
【図１０】図１０は本願の実施例に係るシステムチップの概略構成図である。
【発明を実施するための形態】
【００４１】
以下、図面を参照しながら本願の実施例の技術案を説明する。
【００４２】
なお、本願の実施例に係る技術案は、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、長いタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システム等の各種の通信システムに適用できる。
【００４３】
本願は端末装置と組み合わせて各実施例を説明する。端末装置はユーザー装置（ＵＥ：Ｕｓｅｒ  Ｅｑｕｉｐｍｅｎｔ）、アクセス端末、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置、又は無線モデムに接続されるほかの処理装置、車載装置、ウェアラブル装置、将来の５Ｇネットワークにおける端末装置又は将来の発展型地上波公共移動通信ネットワーク（ＰＬＭＮ：Ｐｕｂｌｉｃ  Ｌａｎｄ  Ｍｏｂｉｌｅ  Ｎｅｔｗｏｒｋ）ネットワークにおける端末装置等であってもよい。
【００４４】
本願はネットワーク装置と組み合わせて各実施例を説明する。ネットワーク装置は端末装置と通信するための装置であってもよく、例えば、ＧＳＭシステム又はＣＤＭＡ中の基地局（ＢＴＳ：Ｂａｓｅ  Ｔｒａｎｓｃｅｉｖｅｒ  Ｓｔａｔｉｏｎ）、ＷＣＤＭＡシステム中の基地局（ＮＢ：ＮｏｄｅＢ）、ＬＴＥシステム中の発展型基地局（ｅＮＢ又はｅＮｏｄｅＢ：Ｅｖｏｌｕｔｉｏｎａｌ  Ｎｏｄｅ  Ｂ）が挙げられ、又は該ネットワーク装置は中継局、アクセスポイント、車載装置、ウェアラブル装置及び将来の５Ｇネットワークにおけるネットワーク側装置又は将来の発展型ＰＬＭＮネットワークにおけるネットワーク側装置等であってもよい。
【００４５】
図１は本願の実施例の応用シーンの模式図である。図１中の通信システムはネットワーク装置１０及び端末装置２０を備える。ネットワーク装置１０は端末装置２０に通信サービスを提供し、且つコアネットワークにアクセスし、端末装置２０はネットワーク装置１０が送信する同期信号、ブロードキャスト信号等を検索してネットワークにアクセスし、それによりネットワークとの通信を行う。図１に示される矢印は端末装置２０とネットワーク装置１０の間のセルラーリンクを介して行われるアップ／ダウンリンク伝送を示す。
【００４６】
本願の実施例におけるネットワークは地上波公共移動通信ネットワーク（ＰＬＭＮ：Ｐｕｂｌｉｃ  Ｌａｎｄ  Ｍｏｂｉｌｅ  Ｎｅｔｗｏｒｋ）又はデバイスツーデバイス（Ｄ２Ｄ：Ｄｅｖｉｃｅ  ｔｏ  Ｄｅｖｉｃｅ）ネットワーク又はマシンツーマシン／マン（Ｍ２Ｍ：Ｍａｃｈｉｎｅ  ｔｏ  Ｍａｃｈｉｎｅ／Ｍａｎ）ネットワーク又はほかのネットワークであってもよく、図１は例示的な概略模式図に過ぎず、ネットワークはほかの端末装置をさらに備えてもよく、図１に図示していない。
【００４７】
図２は本願の実施例に係る情報伝送方法２００の概略フローチャートである。図２中の情報伝送方法は端末装置、例えば図１に示される端末装置２０によって実行されてもよい。図２に示すように、該情報伝送のプロセスは具体的にはステップ２１０〜２４０を含む。
【００４８】
２１０では、端末装置は第１シーケンスを取得する。
【００４９】
該第１シーケンスはダウンリンクデータに対するフィードバック情報を搬送するシーケンスを取得することに用いられる。
【００５０】
具体的には、端末装置は異なるダウンリンクデータに対して異なるフィードバック情報を生成し、異なるフィードバック情報を異なる伝送シーケンス（本願の実施例ではシーケンスと略称する）に搬送してネットワーク装置に送信する。該第１シーケンスはこれらのシーケンス中の基礎シーケンスに相当し、ほかのシーケンスはこれらの基礎シーケンスに基づき確定される。
【００５１】
ネットワーク装置は端末装置に該第１シーケンスを明示的又は黙示的に指示することができる。端末装置が第１シーケンスを取得することは、端末装置が、ネットワーク装置から送信されるシーケンス指示情報であって、該第１シーケンスを明示的又は黙示的に指示するためのシーケンス指示情報を受信するステップを含む。
【００５２】
例えば、該シーケンス指示情報は該第１シーケンスのシーケンス番号を直接指示する。
【００５３】
また、例えば、端末装置が第１シーケンスを取得することは、端末装置がネットワーク装置から送信されるシーケンス指示情報を受信するステップと、端末装置が該シーケンス指示情報を受信するための物理リソースに基づき、該物理リソースに対応する該第１シーケンスを確定するステップと、を含む。すなわち、ネットワーク装置はシーケンス指示情報の物理リソースの情報、例えばリソースの位置又は大きさ等に応じて、該第１シーケンスを黙示的に指示する。
【００５４】
２２０では、端末装置はネットワーク装置から送信されるターゲットダウンリンクデータに基づき、該ターゲットダウンリンクデータに対するターゲットフィードバック情報を確定する。
【００５５】
該ターゲットフィードバック情報は、例えば少なくとも１つの肯定応答（ＡＣＫ：Ａｃｋｎｏｗｌｅｄｇｅｍｅｎｔ）及び／又は少なくとも１つの否定応答（ＮＡＣＫ：Ｎｅｇａｔｉｖｅ  Ａｃｋｎｏｗｌｅｄｇｅｍｅｎｔ）を含む。
【００５６】
２３０では、端末装置は該第１シーケンスに基づき、該ターゲットフィードバック情報を搬送するための第２シーケンスを確定する。
【００５７】
具体的には、端末装置はターゲットダウンリンクデータに対するターゲットフィードバック情報を確定した後、該第１シーケンスに基づき、該ターゲットフィードバック情報に対応し且つ該ターゲットフィードバック情報を搬送するための第２シーケンスを確定する。好ましくは、第２シーケンスのシーケンスコードは第１シーケンスのシーケンスコードに基づき得られる。
【００５８】
本願の実施例は第２シーケンスを確定する２種の方式を提供し、以下、それぞれ説明する。
【００５９】
方式１
好ましくは、図３に示すように、図２中の２３０、すなわち端末装置が該第１シーケンスに基づき、該ターゲットフィードバック情報を搬送するための第２シーケンスを確定することは、ステップ２３１及び２３２を含む。
【００６０】
２３１では、端末装置は、該第１シーケンスに基づき、複数種のフィードバック情報と第１マッピング関係を満たす複数のシーケンスのうちの該第１シーケンス以外のシーケンスを確定する。
【００６１】
２３２では、端末装置は、該ターゲットフィードバック情報、及び該第１マッピング関係に基づき、該複数のシーケンスから、該ターゲットフィードバック情報に対応する該第２シーケンスを確定する。
【００６２】
該複数のシーケンスは第２シーケンス及び第１シーケンスを含み、第２シーケンスは第１シーケンスと同じシーケンスであってもよく、これら複数のシーケンスのうちの１シーケンスに基づき取得されるほかのシーケンスであってもよい。
【００６３】
つまり、端末装置は該第１シーケンスに基づき複数のシーケンスのうちのほかのシーケンスを確定し、これら複数のシーケンスと複数のフィードバック情報は第１マッピング関係を満たし、該第１マッピング関係はこれらの複数のシーケンスと複数のフィードバック情報との対応関係を示し、該対応関係は、例えばテーブル、式、画像等の方式によって示される。すなわち、端末装置は予め設定された、複数のシーケンスと複数のフィードバック情報との対応関係を含むテーブルを検索することで、該ターゲットフィードバック情報に対応する第２シーケンスを確定し、又は、端末装置はめ設定された式及び該ターゲットフィードバック情報に関連するパラメータによって、該ターゲットフィードバック情報に対応する該第２シーケンスの識別子又は番号を計算する。本願では、それを限定しない。端末装置はターゲットダウンリンクデータに対するターゲットフィードバック情報、及び該第１マッピング関係に基づき、該ターゲットフィードバック情報に対応する第２シーケンスを確定することができる。
【００６４】
該実施例では、端末装置は複数のシーケンスを事前に確定しておくことで、後続の伝送では直接ターゲットフィードバック情報に基づき複数のシーケンスのうちの該ターゲットフィードバック情報を搬送するためのシーケンスを選択し、従って、毎回シーケンスの計算を行う必要がない。
【００６５】
好ましくは、該第１マッピング関係はネットワーク装置によって端末装置に対して設定される。端末装置は該第１シーケンスに基づき、複数のシーケンスのうちの該第１シーケンス以外のシーケンスを確定する前に、端末装置はネットワーク装置から送信される該第２構成情報を受信し、該第２構成情報は該第１マッピング関係を含む。又は、該第１マッピング関係は端末装置とネットワーク装置によって事前に決められた例えばプロトコルに規定される。
【００６６】
好ましくは、該複数のシーケンスの数は伝送パラメータに基づいて確定され、該伝送パラメータは、該ターゲットダウンリンクデータ中のトランスポートブロックの数、該ターゲットダウンリンクデータ中のコードブロックグループの数、該ターゲットダウンリンクデータ中の該トランスポートブロックの数と該コードブロックグループの数との積、該ターゲットフィードバック情報の最大ビット数のうちのいずれか一つを含む。
【００６７】
好ましくは、端末装置が該第１シーケンスに基づき、複数のシーケンスのうちの該第１シーケンス以外のシーケンスを確定する前に、該方法は、端末装置がネットワーク装置から送信される該伝送パラメータを受信するステップをさらに含む。
【００６８】
好ましくは、該伝送パラメータの値がｎであると、該複数のシーケンスの数が２ｎ（ｎが正の整数である）である。
【００６９】
例えば、該伝送パラメータがターゲットダウンリンクデータ中のトランスポートブロックの数であり、且つ該トランスポートブロックの数がｎ＝１である場合、フィードバック情報を搬送するためのシーケンスは２個であり、一方はＡＣＫを搬送し、他方はＮＡＣＫを搬送し、該トランスポートブロックの数がｎ＝２である場合、フィードバック情報を搬送するためのシーケンスは２２＝４個であり、それぞれＡＣＫとＡＣＫ、ＡＣＫとＮＡＣＫ（ＡＣＫを伝送してからＮＡＣＫを伝送する）、ＮＡＣＫとＡＣＫ（ＮＡＣＫを伝送してからＡＣＫを伝送する）、ＮＡＣＫとＮＡＣＫを搬送する。
【００７０】
該複数のシーケンスにおいて、各シーケンスは１個のオフセット値に対応し、各シーケンスのシーケンス番号と第１シーケンスのシーケンス番号との差分が各シーケンスに対応する該オフセット値である。例えば、該複数のシーケンスのうちの該第１シーケンス以外のシーケンスでは、各シーケンスのシーケンス番号は、該第１シーケンスのシーケンス番号と該各シーケンスに対応するオフセット値との和に等しい。好ましくは、これら異なるシーケンス番号を有するシーケンスは、基礎シーケンスを循環シフトさせて生成される一連のシーケンスであってもよい。
【００７１】
好ましくは、端末装置が該第１シーケンスに基づき、複数のシーケンスのうちの該第１シーケンス以外のシーケンスを確定する前に、該方法は、端末装置がネットワーク装置から送信される第１構成情報であって、該各シーケンスに対応するオフセット値を含む第１構成情報を受信するステップをさらに含む。又は、該オフセット値は端末装置とネットワーク装置によって事前に決められた例えばプロトコルに規定される。
【００７２】
例えば、表１に示される第１マッピング関係のように、該ターゲットダウンリンクデータ中のトランスポートブロックの数がｎ＝１、シーケンス総数が２、表１がｎ＝１時の第１マッピング関係であることを仮定する。フィードバック情報がＡＣＫを含む場合、シーケンスＳｉを使用して該フィードバック情報を搬送し、フィードバック情報がＮＡＣＫを含む場合、シーケンスＳｉ＋Δｏｆｆｓｅｔ，０を使用して該フィードバック情報を搬送する。
【表１】
2020518181.tif 000003
【００７３】
端末装置はネットワーク装置から送信されるシーケンス指示情報を受信した後、第１シーケンスの番号Ｓｉとターゲットダウンリンクデータに搬送されるトランスポートブロック（ＴＢ：Ｔｒａｎｓｍｉｓｓｉｏｎ  Ｂｌｏｃｋ）の数ｎ＝１を取得する。端末装置は第１シーケンス及び表１の複数のシーケンスの各々に対応するオフセット値に基づき、該複数のシーケンスを確定する。端末装置はトランスポートブロックをデコードし、ターゲットダウンリンクデータに対するターゲットフィードバック結果を確定し、表１に示される第１マッピング関係に基づき、該複数のシーケンスのうちの、該ターゲットフィードバック結果に対応する該ターゲットフィードバック結果を搬送するためのシーケンスを確定し、該ターゲットフィードバック結果がＡＣＫを含む場合、端末装置はネットワーク装置にシーケンスＳｉを送信し、該ターゲットフィードバック結果がＮＡＣＫを含む場合、端末装置はネットワーク装置にシーケンスＳｉ＋Δｏｆｆｓｅｔ，０を送信し、該オフセット値Δｏｆｆｓｅｔ，０は例えば１である。
【００７４】
また、例えば、表２に示される第１マッピング関係のように、該ターゲットフィードバック情報の最大ビット数がｎ＝２、シーケンス総数が４、表２がｎ＝２時の第１マッピング関係であることを仮定する。フィードバック情報がＡＣＫとＡＣＫを含む場合、シーケンスＳｉを使用して該フィードバック情報を搬送し、フィードバック情報がＡＣＫとＮＡＣＫを含む場合、シーケンスＳｉ＋Δｏｆｆｓｅｔ，０を使用して該フィードバック情報を搬送し、フィードバック情報がＮＡＣＫとＡＣＫを含む場合、シーケンスＳｉ＋Δｏｆｆｓｅｔ，１を使用して該フィードバック情報を搬送し、フィードバック情報がＮＡＣＫとＮＡＣＫを含む場合、シーケンスＳｉ＋Δｏｆｆｓｅｔ，２を使用して該フィードバック情報を搬送する。
【表２】
2020518181.tif 000004
【００７５】
端末装置はネットワーク装置から送信されるシーケンス指示情報を受信した後、第１シーケンスの番号Ｓｉを取得する。端末装置は第１シーケンスと表２の複数のシーケンスの各々に対応するオフセット値に基づき、該複数のシーケンスを確定する。端末装置はターゲットダウンリンクデータに対するターゲットフィードバック結果を確定し、表２に示される第１マッピング関係に基づき、該複数のシーケンスのうちの、該ターゲットフィードバック結果に対応する該ターゲットフィードバック結果を搬送するためのシーケンスを確定し、該フィードバック結果がＡＣＫとＡＣＫを含む場合、端末装置はネットワーク装置にシーケンスＳｉを送信し、該フィードバック結果がＡＣＫとＮＡＣＫを含む場合、端末装置はネットワーク装置にシーケンスＳｉ＋Δｏｆｆｓｅｔ，０を送信し、該フィードバック結果がＮＡＣＫとＡＣＫを含む場合、端末装置はネットワーク装置にシーケンスＳｉ＋Δｏｆｆｓｅｔ，１を送信し、該フィードバック結果がＮＡＣＫとＮＡＣＫを含む場合、端末装置はネットワーク装置にシーケンスＳｉ＋Δｏｆｆｓｅｔ，２を送信する。オフセット値Δｏｆｆｓｅｔ，０＝１、Δｏｆｆｓｅｔ，１＝２、Δｏｆｆｓｅｔ，２＝３であってもよい。
【００７６】
方式２
好ましくは、図４に示すように、図２中の２３０、すなわち端末装置が該第１シーケンスに基づき、該ターゲットフィードバック情報を搬送するための第２シーケンスを確定することは、ステップ２３３及び２３４を含む。
【００７７】
２３３では、端末装置はターゲットフィードバック情報、及び第２マッピング関係に基づき、複数のオフセット値からターゲットフィードバック情報に対応するターゲットオフセット値を確定し、該第２マッピング関係が、該複数のオフセット値と複数種のフィードバック情報との対応関係を示す。
【００７８】
２３４では、端末装置は該第１シーケンスと該ターゲットオフセット値に基づき該第２シーケンスを確定する。
【００７９】
第２シーケンスは第１シーケンスと同じシーケンス（ターゲットオフセット値は０）であってもよく、それぞれ対応するオフセット値及び第１シーケンスに基づき取得されるほかのシーケンスであってもよい。
【００８０】
つまり、端末装置は先ずターゲットフィードバック情報と第２マッピング関係に基づき、複数のオフセット値からターゲットフィードバック情報に対応するターゲットオフセット値を確定し、該第２マッピング関係は該複数のオフセット値と複数種のフィードバック情報との対応関係を示し、該対応関係は、例えばテーブル、式、画像等の方式によって示される。すなわち、端末装置は予め設定された、複数のオフセット値と複数のフィードバック情報との対応関係を含むテーブルを検索することで、該ターゲットフィードバック情報に対応するターゲットオフセット値を確定し、又は、端末装置は予め設定された式及び該ターゲットフィードバック情報に関連するパラメータによって、該ターゲットフィードバック情報に対応する該ターゲットオフセット値を計算し、本願では、それを限定しない。次に、端末装置は該第１シーケンスと該ターゲットオフセット値に基づき、該ターゲットフィードバック情報を搬送するための第２シーケンスを確定し、例えば該第２シーケンスのシーケンス番号は第１シーケンスのシーケンス番号と該ターゲットオフセット値との和に等しい。
【００８１】
該実施例では、方式１のように複数のシーケンスを事前に確定しておく必要がなく、端末装置はターゲットフィードバック情報に対応するオフセット値を確定することで、直接第１シーケンスと該オフセット値に基づき、該ターゲットフィードバック情報を搬送するためのシーケンスを計算する。
【００８２】
好ましくは、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００８３】
好ましくは、該伝送パラメータの値がｎであると、該複数のシーケンスの数が２ｎ（ｎが正の整数である）である。
【００８４】
好ましくは、端末装置が複数のオフセット値を確定する前に、該方法は、端末装置がネットワーク装置から送信される該伝送パラメータを受信するステップをさらに含む。
【００８５】
好ましくは、端末がターゲットフィードバック情報、及び第２マッピング関係に基づき、複数のオフセット値からターゲットフィードバック情報に対応するターゲットオフセット値を確定する前に、該方法は、端末装置がネットワーク装置から送信される第３構成情報であって、該第２マッピング関係を含む第３構成情報を受信するステップをさらに含む。
【００８６】
好ましくは、第２マッピング関係は端末装置とネットワーク装置によって事前に決められた例えばプロトコルに規定される。
【００８７】
例えば、表３に示される第２マッピング関係のように、該ターゲットダウンリンクデータ中のトランスポートブロックの数がｎ＝１、オフセット値の数が２、表３がｎ＝１時の第２マッピング関係であることを仮定する。フィードバック情報がＡＣＫを含む場合、オフセット値がΔｏｆｆｓｅｔ，０であり、フィードバック情報がＮＡＣＫを含む場合、オフセット値がΔｏｆｆｓｅｔ，１である。
【表３】
2020518181.tif 000005
【００８８】
端末装置はネットワーク装置から送信されるシーケンス指示情報を受信した後、第１シーケンスの番号Ｓｉとターゲットダウンリンクデータに搬送されるトランスポートブロックＴＢの数ｎ＝１を取得する。端末装置はトランスポートブロックをデコードし、ターゲットダウンリンクデータに対するターゲットフィードバック結果を確定し、表３に示される第１マッピング関係に基づき、該ターゲットフィードバック結果に対応するターゲットオフセット値を確定し、該ターゲットフィードバック結果がＡＣＫを含む場合、対応するターゲットオフセット値がΔｏｆｆｓｅｔ，０であり、該ターゲットフィードバック結果がＮＡＣＫを含む場合、対応するターゲットオフセット値がΔｏｆｆｓｅｔ，１であり、該オフセット値Δｏｆｆｓｅｔ，０が例えば０であり、Δｏｆｆｓｅｔ，１が１である。その後、端末装置は第１シーケンスのシーケンス番号とターゲットオフセット値とを加算し、ターゲットフィードバック結果を搬送するための第２シーケンスのシーケンス番号を得て、ネットワーク装置に該第２シーケンスを送信する。
【００８９】
また、例えば、表４に示される第２マッピング関係のように、該ターゲットフィードバック情報の最大ビット数がｎ＝２、シーケンス総数が４、表４がｎ＝２時の第１マッピング関係であることを仮定する。フィードバック情報がＡＣＫとＡＣＫを含む場合、オフセット値がΔｏｆｆｓｅｔ，０であり、フィードバック情報がＡＣＫとＮＡＣＫを含む場合、オフセット値がΔｏｆｆｓｅｔ，１であり、フィードバック情報がＮＡＣＫとＡＣＫを含む場合、オフセット値がΔｏｆｆｓｅｔ，２であり、フィードバック情報がＮＡＣＫとＮＡＣＫを含む場合、オフセット値がΔｏｆｆｓｅｔ，３である。
【表４】
2020518181.tif 000006
【００９０】
端末装置はネットワーク装置から送信されるシーケンス指示情報を受信した後、第１シーケンスの番号Ｓｉを取得する。端末装置はターゲットダウンリンクデータに対するターゲットフィードバック結果を確定し、表４に示される第２マッピング関係に基づき、該ターゲットフィードバック結果に対応するターゲットオフセット値を確定し、該ターゲットフィードバック結果がＡＣＫとＡＣＫを含む場合、対応するターゲットオフセット値がΔｏｆｆｓｅｔ，０であり、該フィードバック結果がＡＣＫとＮＡＣＫを含む場合、対応するターゲットオフセット値がΔｏｆｆｓｅｔ，１であり、該フィードバック結果がＮＡＣＫとＡＣＫを含む場合、対応するターゲットオフセット値がΔｏｆｆｓｅｔ，２であり、該フィードバック結果がＮＡＣＫとＮＡＣＫを含む場合、対応するターゲットオフセット値がΔｏｆｆｓｅｔ，３である。オフセット値Δｏｆｆｓｅｔ，０＝０、Δｏｆｆｓｅｔ，１＝１、Δｏｆｆｓｅｔ，２＝２、Δｏｆｆｓｅｔ，３＝３であってもよい。その後、端末装置は第１シーケンスのシーケンス番号とターゲットオフセット値とを加算し、ターゲットフィードバック結果を搬送するための第２シーケンスのシーケンス番号を得て、ネットワーク装置に該第２シーケンスを送信する。
【００９１】
２４０では、端末装置はネットワーク装置に該第２シーケンスを送信する。
【００９２】
図５は本願の実施例に係る情報伝送方法５００の概略フローチャートである。図２中の情報伝送方法はネットワーク装置、例えば図１に示されるネットワーク装置１０によって実行されてもよい。図５に示すように、該伝送情報のプロセスは具体的には、ステップ５１０〜５３０を含む。
【００９３】
５１０では、ネットワーク装置は、第１シーケンスを指示するためのシーケンス指示情報を端末装置に送信する。
【００９４】
該第１シーケンスはダウンリンクデータに対するフィードバック情報を搬送するシーケンスを取得することに用いられる。
【００９５】
５２０では、ネットワーク装置は端末装置にターゲットダウンリンクデータを送信する。
【００９６】
５３０では、ネットワーク装置は端末装置が該第１シーケンスに基づいて送信する第２シーケンスを受信し、該第２シーケンスは該ターゲットダウンリンクデータに対するターゲットフィードバック情報を搬送する。
【００９７】
具体的には、ネットワーク装置が端末装置に送信する第１シーケンスは、端末装置がダウンリンクデータに対するフィードバック情報を搬送するためのシーケンスを確定することに用いられる。ネットワーク装置は端末装置にターゲットダウンリンクデータを送信した後、端末装置が該第１シーケンスに基づき該ターゲットダウンリンクデータに対するターゲットフィードバック情報を搬送するための第２シーケンスを確定するプロセスは具体的には、図２〜図４中の２１０〜２４０についての説明を参照すればよく、簡潔にするために、ここで重複説明を省略する。
【００９８】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【００９９】
好ましくは、該複数のシーケンスの数は伝送パラメータに基づいて確定され、該伝送パラメータは、該ターゲットダウンリンクデータ中のトランスポートブロックの数、該ターゲットダウンリンクデータ中のコードブロックグループの数、該ターゲットダウンリンクデータ中の該トランスポートブロックの数と該コードブロックグループの数との積、該ターゲットフィードバック情報の最大ビット数のうちのいずれか一つを含む。
【０１００】
好ましくは、該伝送パラメータの値をｎとし、該複数のシーケンスの数は２ｎ（ｎが正の整数である）である。
【０１０１】
好ましくは、該複数のシーケンスのうちの該第１シーケンス以外のシーケンスでは、各シーケンスのシーケンス番号は、該第１シーケンスのシーケンス番号と該各シーケンスに対応するオフセット値との和に等しい。
【０１０２】
好ましくは、ネットワーク装置は端末装置が第１シーケンスに基づいて送信する第２シーケンスを受信する前に、該方法は、ネットワーク装置が該各シーケンスに対応するオフセット値を含む第１構成情報を端末装置に送信するステップをさらに含む。又は、該オフセット値は端末装置とネットワーク装置によって事前に決められた例えばプロトコルに規定される。
【０１０３】
好ましくは、ネットワーク装置は端末装置が第１シーケンスに基づいて送信する第２シーケンスを受信する前に、該方法は、ネットワーク装置が該第１マッピング関係を含む第２構成情報を端末装置に送信するステップをさらに含む。又は該第１マッピング関係は端末装置とネットワーク装置によって事前に決められた例えばプロトコルに規定される。
【０１０４】
好ましくは、ネットワーク装置は端末装置が第１シーケンスに基づいて送信する第２シーケンスを受信する前に、該方法は、ネットワーク装置が該伝送パラメータを端末装置に送信するステップをさらに含む。
【０１０５】
なお、本願の各種の実施例では、上記各手順の番号の大きさは実行順序を示すものではなく、各手順の実行順序はその機能及び内部ロジックに応じて確定され、本願の実施例の実施手順を限定するものではない。
【０１０６】
図６は本願の実施例に係る端末装置６００の概略ブロック図である。図６に示すように、該端末装置６００は取得ユニット６１０、確定ユニット６２０及び送信ユニット６３０を備える。
【０１０７】
取得ユニット６１０は、ダウンリンクデータに対するフィードバック情報を搬送するシーケンスを取得するための第１シーケンスを取得するように構成され、
確定ユニット６２０は、前記ネットワーク装置から送信されるターゲットダウンリンクデータに基づき、前記ターゲットダウンリンクデータに対するターゲットフィードバック情報を確定するように構成され、
前記確定ユニット６２０はさらに、前記取得ユニット６１０によって取得された前記第１シーケンスに基づき、前記ターゲットフィードバック情報を搬送するための第２シーケンスを確定するように構成され、
送信ユニット６３０は、前記確定ユニット６２０によって確定された前記第２シーケンスを前記ネットワーク装置に送信するように構成される。
【０１０８】
従って、端末装置は第１シーケンスによって現在のダウンリンクデータに対するフィードバック情報を搬送する第２シーケンスを取得することで、アップリンク制御情報を搬送するためのシーケンスを効率的に確定することができる。
【０１０９】
好ましくは、前記確定ユニット６２０は具体的には、前記第１シーケンスに基づき、複数種のフィードバック情報と第１マッピング関係を満たす複数のシーケンスのうちの前記第１シーケンス以外のシーケンスを確定するように構成され、前記端末装置は前記ターゲットフィードバック情報、及び前記第１マッピング関係に基づき、前記複数のシーケンスから、前記ターゲットフィードバック情報に対応する前記第２シーケンスを確定する。
【０１１０】
好ましくは、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１１１】
好ましくは、前記伝送パラメータの値をｎとし、前記複数のシーケンスの数は２ｎ（ｎが正の整数である）である。
【０１１２】
好ましくは、前記端末装置は受信ユニットをさらに備え、前記受信ユニットは、前記確定ユニット６２０が前記第１シーケンスに基づき複数のシーケンスのうちの前記第１シーケンス以外のシーケンスを確定する前に、前記ネットワーク装置から送信される前記伝送パラメータを受信するように構成される。
【０１１３】
好ましくは、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【０１１４】
好ましくは、前記端末装置は受信ユニットをさらに備え、前記受信ユニットはさらに、前記確定ユニット６２０が前記第１シーケンスに基づき複数のシーケンスのうちの前記第１シーケンス以外のシーケンスを確定する前に、前記ネットワーク装置から送信される第１構成情報であって、前記各シーケンスに対応するオフセット値を含む第１構成情報を受信するように構成される。
【０１１５】
好ましくは、前記受信ユニットはさらに、前記確定ユニット６２０が前記第１シーケンスに基づき複数のシーケンスのうちの前記第１シーケンス以外のシーケンスを確定する前に、前記ネットワーク装置から送信される第２構成情報であって、前記第１マッピング関係を含む第２構成情報を受信するように構成される。
【０１１６】
好ましくは、前記第２マッピング関係は前記端末装置と前記ネットワーク装置によって事前に決められる。
【０１１７】
好ましくは、前記確定ユニット６２０は具体的には、前記ターゲットフィードバック情報、及び前記複数のオフセット値と複数種のフィードバック情報との対応関係を示す第２マッピング関係に基づき、複数のオフセット値から前記ターゲットフィードバック情報に対応するターゲットオフセット値を確定し、前記第１シーケンスと前記ターゲットオフセット値に基づき前記第２シーケンスを確定するように構成される。
【０１１８】
好ましくは、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１１９】
好ましくは、前記伝送パラメータの値をｎとし、前記複数のシーケンスの数は２ｎ（ｎが正の整数である）である。
【０１２０】
好ましくは、前記端末装置は受信ユニットをさらに備え、前記受信ユニットは、前記確定ユニット６２０が複数のオフセット値を確定する前に、前記ネットワーク装置から送信される前記伝送パラメータを受信するように構成される。
【０１２１】
好ましくは、前記第２シーケンスのシーケンス番号は前記第１シーケンスのシーケンス番号と前記ターゲットオフセット値との和に等しい。
【０１２２】
好ましくは、前記受信ユニットはさらに、前記確定ユニット６２０が前記ターゲットフィードバック情報、及び前記第２マッピング関係に基づき、前記複数のオフセット値から前記ターゲットフィードバック情報に対応するターゲットオフセット値を確定する前に、前記ネットワーク装置から送信される第３構成情報であって、前記第２マッピング関係を含む第３構成情報を受信するように構成される。
【０１２３】
好ましくは、前記第２マッピング関係は前記端末装置と前記ネットワーク装置によって事前に決められる。
【０１２４】
好ましくは、前記取得ユニット６１０は具体的には、前記ネットワーク装置から送信されるシーケンス指示情報であって、前記第１シーケンスを明示的又は黙示的に指示するためのシーケンス指示情報を受信するように構成される。
【０１２５】
好ましくは、前記取得ユニット６１０は具体的には、前記ネットワーク装置から送信されるシーケンス指示情報を受信し、前記シーケンス指示情報を受信するための物理リソースに基づき、前記物理リソースに対応する前記第１シーケンスを確定するように構成される。
【０１２６】
図７は本願の実施例に係るネットワーク装置７００の概略ブロック図である。図７に示すように、該ネットワーク装置７００は送信ユニット７１０及び受信ユニット７２０を備える。
【０１２７】
送信ユニット７１０は、ダウンリンクデータに対するフィードバック情報を搬送するシーケンスを取得するための第１シーケンスを指示するためのシーケンス指示情報を端末装置に送信するように構成され、
前記送信ユニット７１０はさらに、ターゲットダウンリンクデータを前記端末装置に送信するように構成され、
受信ユニット７２０は、前記端末装置が前記第１シーケンスに基づいて送信する第２シーケンスであって、前記ターゲットダウンリンクデータに対するターゲットフィードバック情報を搬送するための第２シーケンスを受信する。
【０１２８】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【０１２９】
好ましくは、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１３０】
好ましくは、前記伝送パラメータの値をｎとし、前記複数のシーケンスの数は２ｎ（ｎが正の整数である）である。
【０１３１】
好ましくは、前記送信ユニット７１０はさらに、前記受信ユニット７２０は前記端末装置が第１シーケンスに基づいて送信する第２シーケンスを受信する前に、前記伝送パラメータを前記端末装置に送信するように構成される。
【０１３２】
好ましくは、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【０１３３】
好ましくは、前記送信ユニット７１０はさらに、前記受信ユニット７２０は前記端末装置が第１シーケンスに基づいて送信する第２シーケンスを受信する前に、前記各シーケンスに対応するオフセット値を含む第１構成情報を前記端末装置に送信するように構成される。
【０１３４】
好ましくは、前記送信ユニット７１０はさらに、前記受信ユニット７２０は前記端末装置が第１シーケンスに基づいて送信する第２シーケンスを受信する前に、複数のシーケンスと複数種のフィードバック情報との対応関係を示すための前記第１マッピング関係を含む第２構成情報を前記端末装置に送信するように構成される。
【０１３５】
好ましくは、前記送信ユニット７１０はさらに、前記受信ユニット７２０は前記端末装置が第１シーケンスに基づいて送信する第２シーケンスを受信する前に、複数のオフセット値と前記複数種のフィードバック情報との対応関係を示すための第２マッピング関係を含む第３構成情報を前記端末装置に送信するように構成される。
【０１３６】
図８は本願の実施例に係る端末装置８００の概略構成図である。図８に示すように、該端末装置はプロセッサ８１０、送受信機８２０及びメモリ８３０を備え、該プロセッサ８１０、送受信機８２０及びメモリ８３０は内部接続通路を介して相互に通信する。該メモリ８３０は命令を記憶し、該プロセッサ８１０は該メモリ８３０に記憶される命令を実行して、該送受信機８２０による信号の送受信を制御する。
【０１３７】
該プロセッサ８１０は、ダウンリンクデータに対するフィードバック情報を搬送するシーケンスを取得するための第１シーケンスを取得し、前記ネットワーク装置から送信されるターゲットダウンリンクデータに基づき、前記ターゲットダウンリンクデータに対するターゲットフィードバック情報を確定し、前記取得ユニットによって取得された前記第１シーケンスに基づき、前記ターゲットフィードバック情報を搬送するための第２シーケンスを確定するように構成され、
該送受信機８２０は、前記確定ユニットによって確定される前記第２シーケンスを前記ネットワーク装置に送信するように構成される。
【０１３８】
好ましくは、該プロセッサ８１０はメモリ８３０に記憶されたプログラムコードを呼び出し、図２に示される方法２００中の端末装置の対応する操作を実行し、簡潔にするために、ここで重複説明を省略する。
【０１３９】
なお、本願の実施例では、該プロセッサ８１０は中央処理装置（ＣＰＵ：Ｃｅｎｔｒａｌ  Ｐｒｏｃｅｓｓｉｎｇ  Ｕｎｉｔ）であってもよく、該プロセッサ８１０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は該プロセッサは任意の通常のプロセッサ等である。
【０１４０】
該メモリ８３０は読み出し専用メモリ及びランダムアクセスメモリを含んでもよく、プロセッサ８１０に命令とデータを提供する。メモリ８３０の一部は不揮発性ランダムアクセスメモリを含んでもよい。例えば、メモリ８３０はさらにデバイスのタイプに関する情報を記憶する。
【０１４１】
実現中、上記方法の各ステップはプロセッサ８１０のハードウェアの集積論理回路又はソフトウェアの形態の命令で行われる。本願の実施例を参照して開示されている特定方法のステップは直接ハードウェアプロセッサによって実行され、又はプロセッサ８１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ８３０に位置し、プロセッサ８１０はメモリ８３０中の情報を読み取り、そのハードウェアと組み合わせて上記方法のステップを実行する。重複を避けるため、ここで詳細説明を省略する。
【０１４２】
本願の実施例に係る端末装置８００は上記方法２００において方法２００を実行するための端末装置、及び本願の実施例に係る端末装置５００に対応でき、且つ該端末装置８００の各ユニット又はモジュールはそれぞれ上記方法２００中の端末装置によって実行される各動作又は処理過程を実行し、ここで、重複を避けるため、ここで詳細説明を省略する。
【０１４３】
図９は本願の実施例に係るネットワーク装置９００の概略構成図である。図９に示すように、該ネットワーク装置はプロセッサ９１０、送受信機９２０及びメモリ９３０を備え、該プロセッサ９１０、送受信機９２０及びメモリ９３０は内部接続通路を介して相互に通信する。該メモリ９３０は命令を記憶し、該プロセッサ９１０は該メモリ９３０に記憶される命令を実行して、該送受信機９２０による信号の送受信を制御する。
【０１４４】
該送受信機９２０は、ダウンリンクデータに対するフィードバック情報を搬送するシーケンスを取得するための第１シーケンスを指示するためのシーケンス指示情報を端末装置に送信し、ターゲットダウンリンクデータを前記端末装置に送信し、前記端末装置が前記第１シーケンスに基づいて送信する第２シーケンスであって、前記ターゲットダウンリンクデータに対するターゲットフィードバック情報を搬送するための第２シーケンスを受信するように構成される。
【０１４５】
好ましくは、該プロセッサ９１０はメモリ９３０に記憶されたプログラムコードを呼び出し、図４に示される方法４００中のネットワーク装置の対応する操作を実行し、簡潔にするために、ここで重複説明を省略する。
【０１４６】
なお、本願の実施例では、該プロセッサ９１０は中央処理装置（ＣＰＵ：Ｃｅｎｔｒａｌ  Ｐｒｏｃｅｓｓｉｎｇ  Ｕｎｉｔ）であってもよく、該プロセッサ９１０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は該プロセッサは任意の通常のプロセッサ等である。
【０１４７】
該メモリ９３０は読み出し専用メモリ及びランダムアクセスメモリを含んでもよく、プロセッサ９１０に命令とデータを提供する。メモリ９３０の一部は不揮発性ランダムアクセスメモリを含んでもよい。例えば、メモリ９３０はさらにデバイスのタイプに関する情報を記憶する。
【０１４８】
実現中、上記方法の各ステップはプロセッサ９１０のハードウェアの集積論理回路又はソフトウェアの形態の命令で行われる。本願の実施例を参照して開示されている特定方法のステップは直接ハードウェアプロセッサによって実行され、又はプロセッサ９１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ９３０に位置し、プロセッサ９１０はメモリ９３０中の情報を読み取り、そのハードウェアと組み合わせて上記方法のステップを実行する。重複を避けるため、ここで詳細説明を省略する。
【０１４９】
本願の実施例に係るネットワーク装置９００は上記方法２００において方法５００を実行するためのネットワーク装置、及び本願の実施例に係るネットワーク装置７００に対応でき、且つ該ネットワーク装置９００の各ユニット又はモジュールはそれぞれ上記方法５００中のネットワーク装置によって実行される各動作又は処理過程を実行し、ここで、重複を避けるため、ここで詳細説明を省略する。
【０１５０】
図１０は本願の実施例に係るシステムチップの概略構成図である。図１０のシステムチップ１０００は入力インタフェース１００１、出力インタフェース１００２、少なくとも１つのプロセッサ１００３、及びメモリ１００４をそなえ、前記入力インタフェース１００１、出力インタフェース１００２、前記プロセッサ１００３及びメモリ１００４は内部接続通路を介して相互に接続される。前記プロセッサ１００３は前記メモリ１００４中のコードを実行する。
【０１５１】
好ましくは、前記コードが実行される時、前記プロセッサ１００３は方法の実施例において端末装置により実行される方法２００を実現できる。簡潔にするために、ここで重複説明を省略する。
【０１５２】
好ましくは、前記コードが実行される時、前記プロセッサ１００３は方法の実施例においてネットワーク装置により実行される方法５００を実現できる。簡潔にするために、ここで重複説明を省略する。
【０１５３】
当業者であれば、本明細書に開示されている実施例を参照して説明される各例のユニット及びアルゴリズムステップは、電子ハードウェア、又はコンピュータソフトウェアと電子ハードウェアの組合せによって実現できると理解できる。これらの機能をハードウェアで実行するかソフトウェアで実行するかは、技術案の特定の用途及び設計制約条件に応じて決定される。当業者は本願の範囲を逸脱せずに、各特定の用途に応じて、説明された機能を異なる方法で実現できる。
【０１５４】
当業者は、説明の便宜および簡潔さのために、上記システム、装置及びユニットの具体的な動作過程が、上記方法の実施例中の対応する過程を参照すればよいため、ここで詳細説明を省略すると明確に理解できる。
【０１５５】
本願に係るいくつかの実施例では、開示されているシステム、装置及び方法をほかの形態で実現できると理解すべきである。例えば、上記装置の実施例は単に例示的なものであり、例えば、前記ユニットの分割は単にロジック機能分割であり、実際の実装では別の分割方式を採用してもよく、例えば複数のユニット又は要素を別のシステムに結合又は集積し、又いくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１５６】
前記分離部材として説明されたユニットは物理的に分離しているものであってもよく、物理的に分離しているものでなくてもよく、ユニットして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１５７】
また、本願の実施例の各々における各機能ユニットは１つの処理ユニットに集積されてもよく、別々に物理的に存在してもよく、２つ又は２つ以上のユニットは１つのユニットに集積されてもよい。
【０１５８】
前記機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプログラムコードを記憶可能な種々の媒体を含む。
【０１５９】
以上、本願の具体的な実施形態を説明したが、本願の実施例の保護範囲を限定するものではない。当業者が本願の実施例に開示されている技術範囲を逸脱せずに容易に想到し得る変更や置換はすべて本願の権利保護範囲に属する。従って、本願の実施例の保護範囲は前記特許請求の範囲の保護範囲に準じるべきである。
【図１】
2020518181.tif 000007
【図２】
2020518181.tif 000008
【図３】
2020518181.tif 000009
【図４】
2020518181.tif 000010
【図５】
2020518181.tif 000011
【図６】
2020518181.tif 000012
【図７】
2020518181.tif 000013
【図８】
2020518181.tif 000014
【図９】
2020518181.tif 000015
【図１０】
2020518181.tif 000016
【手続補正書】
【提出日】令和2年4月3日(2020.4.3)
【手続補正１】
【補正対象書類名】明細書
【補正対象項目名】全文
【補正方法】変更
【補正の内容】
【発明の詳細な説明】
【技術分野】
【０００１】
本願の実施例は無線通信分野に関し、より具体的には、情報伝送方法、端末装置及びネットワーク装置に関する。
【背景技術】
【０００２】
５Ｇシステム、又は新無線（ＮＲ：Ｎｅｗ  Ｒａｄｉｏ）では、２種類の異なる長さの物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、すなわち短いＰＵＣＣＨ（ｓｈｏｒｔ−ＰＵＣＣＨ）と長いＰＵＣＣＨ（ｌｏｎｇ−ＰＵＣＣＨ）をサポートする。短いＰＵＣＣＨは１個又は２個の時間領域シンボルを占有し、長いＰＵＣＣＨは少なくとも４個の時間領域シンボルを占有する。短いＰＵＣＣＨを用いて１ビット又は２ビットのアップリンク制御情報を伝送する場合、異なるアップリンク制御情報が異なるシーケンスを用いて伝送されることができる。端末装置は実際フィードバックするアップリンク制御情報に応じてシーケンスを選択し、且つ該シーケンスを伝送する必要があり、したがって、端末装置は該アップリンク制御情報を搬送するためのシーケンスを効率的に取得する必要がある。
【発明の概要】
【発明が解決しようとする課題】
【０００３】
本願の実施例は情報伝送方法、端末装置及びネットワーク装置を提供し、端末装置はアップリンク制御情報を搬送するためのシーケンスを効率的に取得することができる。
【課題を解決するための手段】
【０００４】
第１態様によれば、情報伝送方法を提供し、端末装置はダウンリンクデータに対するフィードバック情報を搬送するシーケンスを確定するための第１シーケンスを取得するステップと、前記端末装置は前記ネットワーク装置から送信されるターゲットダウンリンクデータに基づき、前記ターゲットダウンリンクデータに対するターゲットフィードバック情報を確定するステップと、前記端末装置は前記第１シーケンスに基づき、前記ターゲットフィードバック情報を搬送するための第２シーケンスを確定するステップと、前記端末装置は前記ネットワーク装置に前記第２シーケンスを送信するステップと、を含む。
【０００５】
従って、端末装置は第１シーケンスによって現在のダウンリンクデータに対するフィードバック情報を搬送する第２シーケンスを取得することで、アップリンク制御情報を搬送するためのシーケンスを効率的に確定することができる。
【０００６】
好ましくは、第１態様の一実施形態では、前記端末装置が前記第１シーケンスに基づき、前記ターゲットフィードバック情報を搬送するための第２シーケンスを確定することは、前記端末装置が前記第１シーケンスに基づき、複数種のフィードバック情報と第１マッピング関係を満たす複数のシーケンスのうちの前記第１シーケンス以外のシーケンスを確定するステップと、前記端末装置が前記ターゲットフィードバック情報、及び前記第１マッピング関係に基づき、前記複数のシーケンスから、前記ターゲットフィードバック情報に対応する前記第２シーケンスを確定するステップと、を含む。
【０００７】
好ましくは、第１態様の一実施形態では、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０００８】
好ましくは、第１態様の一実施形態では、前記伝送パラメータの値をｎとし、前記複数のシーケンスの数は２ｎ（ｎが正の整数である）である。
【０００９】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される前記伝送パラメータを受信するステップをさらに含む。
【００１０】
好ましくは、第１態様の一実施形態では、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【００１１】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される第１構成情報であって、前記各シーケンスに対応するオフセット値を含む第１構成情報を受信するステップをさらに含む。
【００１２】
好ましくは、第１態様の一実施形態では、前記端末装置が前記第１シーケンスに基づき、複数のシーケンスのうちの前記第１シーケンス以外のシーケンスを確定する前に、前記方法は、前記端末装置が前記ネットワーク装置から送信される第２構成情報であって、前記第１マッピング関係を含む第２構成情報を受信するステップをさらに含む。
【００１３】
好ましくは、第１態様の一実施形態では、前記第１マッピング関係は前記端末装置と前記ネットワーク装置によって事前に決められる。
【００１４】
好ましくは、第１態様の一実施形態では、前記端末装置が前記第１シーケンスに基づき、前記ターゲットフィードバック情報を搬送するための第２シーケンスを確定することは、端末が、前記ターゲットフィードバック情報、及び前記複数のオフセット値と複数種のフィードバック情報との対応関係を示す第２マッピング関係に基づき、複数のオフセット値から前記ターゲットフィードバック情報に対応するターゲットオフセット値を確定するステップと、前記端末装置が前記第１シーケンスと前記ターゲットオフセット値に基づき前記第２シーケンスを確定するステップと、を含む。
【００１５】
好ましくは、第１態様の一実施形態では、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００１６】
好ましくは、第１態様の一実施形態では、前記伝送パラメータの値をｎとし、前記複数のシーケンスの数は２ｎ（ｎが正の整数である）である。
【００１７】
好ましくは、第１態様の一実施形態では、前記端末装置が複数のオフセット値を確定する前に、前記方法は、前記端末装置が前記ネットワーク装置から送信される前記伝送パラメータを受信するステップをさらに含む。
【００１８】
好ましくは、第１態様の一実施形態では、前記第２シーケンスのシーケンス番号は前記第１シーケンスのシーケンス番号と前記ターゲットオフセット値との和に等しい。
【００１９】
好ましくは、第１態様の一実施形態では、前記端末が前記ターゲットフィードバック情報、及び前記第２マッピング関係に基づき、前記複数のオフセット値から前記ターゲットフィードバック情報に対応するターゲットオフセット値を確定する前に、前記方法は、前記端末装置が前記ネットワーク装置から送信される第３構成情報であって、前記第２マッピング関係を含む第３構成情報を受信するステップをさらに含む。
【００２０】
好ましくは、第１態様の一実施形態では、前記第２マッピング関係は前記端末装置と前記ネットワーク装置によって事前に決められる。
【００２１】
好ましくは、第１態様の一実施形態では、前記端末装置が第１シーケンスを取得することは、前記端末装置が前記ネットワーク装置から送信されるシーケンス指示情報であって、前記第１シーケンスを明示的又は黙示的に指示するためのシーケンス指示情報を受信するステップを含む。
【００２２】
好ましくは、第１態様の一実施形態では、前記端末装置が第１シーケンスを取得することは、前記端末装置が前記ネットワーク装置から送信されるシーケンス指示情報を受信するステップと、前記端末装置が前記シーケンス指示情報を受信するための物理リソースに基づき、前記物理リソースに対応する前記第１シーケンスを確定するステップと、を含む。
【００２３】
第２態様によれば、情報伝送方法を提供し、ネットワーク装置はダウンリンクデータに対するフィードバック情報を搬送するシーケンスを確定するための第１シーケンスを指示するためのシーケンス指示情報を端末装置に送信するステップと、前記ネットワーク装置はターゲットダウンリンクデータを前記端末装置に送信するステップと、前記ネットワーク装置は前記端末装置が前記第１シーケンスに基づいて送信する第２シーケンスであって、前記ターゲットダウンリンクデータに対するターゲットフィードバック情報を搬送するための第２シーケンスを受信するステップと、を含む。
【００２４】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【００２５】
好ましくは、第２態様の一実施形態では、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００２６】
好ましくは、第２態様の一実施形態では、前記伝送パラメータの値をｎとし、前記複数のシーケンスの数は２ｎ（ｎが正の整数である）である。
【００２７】
好ましくは、第２態様の一実施形態では、前記ネットワーク装置は前記端末装置が第１シーケンスに基づいて送信する第２シーケンスを受信する前に、前記方法は、前記ネットワーク装置が前記伝送パラメータを前記端末装置に送信するステップをさらに含む。
【００２８】
好ましくは、第２態様の一実施形態では、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【００２９】
好ましくは、第２態様の一実施形態では、前記ネットワーク装置は前記端末装置が第１シーケンスに基づいて送信する第２シーケンスを受信する前に、前記方法は、前記ネットワーク装置が前記各シーケンスに対応するオフセット値を含む第１構成情報を前記端末装置に送信するステップをさらに含む。
【００３０】
好ましくは、第２態様の一実施形態では、前記ネットワーク装置は前記端末装置が第１シーケンスに基づいて送信する第２シーケンスを受信する前に、前記方法は、前記ネットワーク装置が、複数のシーケンスと複数種のフィードバック情報との対応関係を示すための前記第１マッピング関係を含む第２構成情報を前記端末装置に送信するステップをさらに含む。
【００３１】
好ましくは、第２態様の一実施形態では、前記ネットワーク装置は前記端末装置が第１シーケンスに基づいて送信する第２シーケンスを受信する前に、前記方法は、前記ネットワーク装置が、複数のオフセット値と前記複数種のフィードバック情報との対応関係を示すための第２マッピング関係を含む第３構成情報を前記端末装置に送信するステップをさらに含む。
【００３２】
第３態様によれば、端末装置を提供し、該端末装置は上記第１態様又は第１態様の可能な実施形態のいずれかに記載の端末装置の操作を実行できる。具体的には、該端末装置は上記第１態様又は第１態様の可能な実施形態のいずれかに記載の端末装置の操作を実行するためのモジュールユニットを備える。
【００３３】
第４態様によれば、ネットワーク装置を提供し、該ネットワーク装置は上記第２態様又は第２態様の可能な実施形態のいずれかに記載のネットワーク装置の操作を実行できる。具体的には、該ネットワーク装置は上記第２態様又は第２態様の可能な実施形態のいずれかに記載のネットワーク装置の操作を実行するためのモジュールユニットを備える。
【００３４】
第５態様によれば、端末装置を提供し、該端末装置はプロセッサ、送受信機及びメモリを備える。該プロセッサ、送受信機及びメモリは内部接続通路を介して相互に通信する。該メモリは命令を記憶し、該プロセッサは該メモリに記憶される命令を実行する。該プロセッサが該メモリに記憶される命令を実行する時、該端末装置に第１態様又は第１態様の可能な実施形態のいずれかに記載の方法を実行させ、又は該端末装置に第３態様に係る端末装置を実現させる。
【００３５】
第６態様によれば、ネットワーク装置を提供し、該ネットワーク装置はプロセッサ、送受信機及びメモリを備える。該プロセッサ、送受信機及びメモリは内部接続通路を介して相互に通信する。該メモリは命令を記憶し、該プロセッサは該メモリに記憶される命令を実行する。該プロセッサが該メモリに記憶される命令を実行する時、該ネットワーク装置に第２態様又は第２態様の可能な実施形態のいずれかに記載の方法を実行させ、又は該ネットワーク装置に第４態様に係るネットワーク装置を実現させる。
【００３６】
第７態様によれば、コンピュータ可読記憶媒体を提供し、ネットワーク装置に上記第１態様、及びその各種の実施形態のいずれかに記載の情報伝送方法を実行させるプログラムが記憶される。
【００３７】
第８態様によれば、コンピュータ可読記憶媒体を提供し、ネットワーク装置に上記第２態様、及びその各種の実施形態のいずれかに記載の情報伝送方法を実行させるプログラムが記憶される。
【００３８】
第９態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第１態様及びその各種の実施形態のいずれかに記載の方法を実現できる。
【００３９】
第１０態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第２態様及びその各種の実施形態のいずれかに記載の方法を実現できる。
【図面の簡単な説明】
【００４０】
【図１】図１は本願の実施例の応用シーンの概略構成図である。
【図２】図２は本願の実施例に係る情報伝送方法の概略フローチャートである。
【図３】図３は本願の実施例に係る情報伝送方法の概略フローチャートである。
【図４】図４は本願の実施例に係る情報伝送方法の概略フローチャートである。
【図５】図５は本願の実施例に係る情報伝送方法の概略フローチャートである。
【図６】図６は本願の実施例に係る端末装置の概略ブロック図である。
【図７】図７は本願の実施例に係るネットワーク装置の概略ブロック図である。
【図８】図８は本願の実施例に係る端末装置の概略構成図である。
【図９】図９は本願の実施例に係るネットワーク装置の概略構成図である。
【図１０】図１０は本願の実施例に係るシステムチップの概略構成図である。
【発明を実施するための形態】
【００４１】
以下、図面を参照しながら本願の実施例の技術案を説明する。
【００４２】
なお、本願の実施例に係る技術案は、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、長いタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システム等の各種の通信システムに適用できる。
【００４３】
本願は端末装置と組み合わせて各実施例を説明する。端末装置はユーザー装置（ＵＥ：Ｕｓｅｒ  Ｅｑｕｉｐｍｅｎｔ）、アクセス端末、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置、又は無線モデムに接続されるほかの処理装置、車載装置、ウェアラブル装置、将来の５Ｇネットワークにおける端末装置又は将来の発展型地上波公共移動通信ネットワーク（ＰＬＭＮ：Ｐｕｂｌｉｃ  Ｌａｎｄ  Ｍｏｂｉｌｅ  Ｎｅｔｗｏｒｋ）ネットワークにおける端末装置等であってもよい。
【００４４】
本願はネットワーク装置と組み合わせて各実施例を説明する。ネットワーク装置は端末装置と通信するための装置であってもよく、例えば、ＧＳＭシステム又はＣＤＭＡ中の基地局（ＢＴＳ：Ｂａｓｅ  Ｔｒａｎｓｃｅｉｖｅｒ  Ｓｔａｔｉｏｎ）、ＷＣＤＭＡシステム中の基地局（ＮＢ：ＮｏｄｅＢ）、ＬＴＥシステム中の発展型基地局（ｅＮＢ又はｅＮｏｄｅＢ：Ｅｖｏｌｕｔｉｏｎａｌ  Ｎｏｄｅ  Ｂ）が挙げられ、又は該ネットワーク装置は中継局、アクセスポイント、車載装置、ウェアラブル装置及び将来の５Ｇネットワークにおけるネットワーク側装置又は将来の発展型ＰＬＭＮネットワークにおけるネットワーク側装置等であってもよい。
【００４５】
図１は本願の実施例の応用シーンの模式図である。図１中の通信システムはネットワーク装置１０及び端末装置２０を備える。ネットワーク装置１０は端末装置２０に通信サービスを提供し、且つコアネットワークにアクセスし、端末装置２０はネットワーク装置１０が送信する同期信号、ブロードキャスト信号等を検索してネットワークにアクセスし、それによりネットワークとの通信を行う。図１に示される矢印は端末装置２０とネットワーク装置１０の間のセルラーリンクを介して行われるアップ／ダウンリンク伝送を示す。
【００４６】
本願の実施例におけるネットワークは地上波公共移動通信ネットワーク（ＰＬＭＮ：Ｐｕｂｌｉｃ  Ｌａｎｄ  Ｍｏｂｉｌｅ  Ｎｅｔｗｏｒｋ）又はデバイスツーデバイス（Ｄ２Ｄ：Ｄｅｖｉｃｅ  ｔｏ  Ｄｅｖｉｃｅ）ネットワーク又はマシンツーマシン／マン（Ｍ２Ｍ：Ｍａｃｈｉｎｅ  ｔｏ  Ｍａｃｈｉｎｅ／Ｍａｎ）ネットワーク又はほかのネットワークであってもよく、図１は例示的な概略模式図に過ぎず、ネットワークはほかの端末装置をさらに備えてもよく、図１に図示していない。
【００４７】
図２は本願の実施例に係る情報伝送方法２００の概略フローチャートである。図２中の情報伝送方法は端末装置、例えば図１に示される端末装置２０によって実行されてもよい。図２に示すように、該情報伝送のプロセスは具体的にはステップ２１０〜２４０を含む。
【００４８】
２１０では、端末装置は第１シーケンスを取得する。
【００４９】
該第１シーケンスはダウンリンクデータに対するフィードバック情報を搬送するシーケンスを確定することに用いられる。
【００５０】
具体的には、端末装置は異なるダウンリンクデータに対して異なるフィードバック情報を生成し、異なるフィードバック情報を異なる伝送シーケンス（本願の実施例ではシーケンスと略称する）に搬送してネットワーク装置に送信する。該第１シーケンスはこれらのシーケンス中の基礎シーケンスに相当し、ほかのシーケンスはこれらの基礎シーケンスに基づき確定される。
【００５１】
ネットワーク装置は端末装置に該第１シーケンスを明示的又は黙示的に指示することができる。端末装置が第１シーケンスを取得することは、端末装置が、ネットワーク装置から送信されるシーケンス指示情報であって、該第１シーケンスを明示的又は黙示的に指示するためのシーケンス指示情報を受信するステップを含む。
【００５２】
例えば、該シーケンス指示情報は該第１シーケンスのシーケンス番号を直接指示する。
【００５３】
また、例えば、端末装置が第１シーケンスを取得することは、端末装置がネットワーク装置から送信されるシーケンス指示情報を受信するステップと、端末装置が該シーケンス指示情報を受信するための物理リソースに基づき、該物理リソースに対応する該第１シーケンスを確定するステップと、を含む。すなわち、ネットワーク装置はシーケンス指示情報の物理リソースの情報、例えばリソースの位置又は大きさ等に応じて、該第１シーケンスを黙示的に指示する。
【００５４】
２２０では、端末装置はネットワーク装置から送信されるターゲットダウンリンクデータに基づき、該ターゲットダウンリンクデータに対するターゲットフィードバック情報を確定する。
【００５５】
該ターゲットフィードバック情報は、例えば少なくとも１つの肯定応答（ＡＣＫ：Ａｃｋｎｏｗｌｅｄｇｅｍｅｎｔ）及び／又は少なくとも１つの否定応答（ＮＡＣＫ：Ｎｅｇａｔｉｖｅ  Ａｃｋｎｏｗｌｅｄｇｅｍｅｎｔ）を含む。
【００５６】
２３０では、端末装置は該第１シーケンスに基づき、該ターゲットフィードバック情報を搬送するための第２シーケンスを確定する。
【００５７】
具体的には、端末装置はターゲットダウンリンクデータに対するターゲットフィードバック情報を確定した後、該第１シーケンスに基づき、該ターゲットフィードバック情報に対応し且つ該ターゲットフィードバック情報を搬送するための第２シーケンスを確定する。好ましくは、第２シーケンスのシーケンスコードは第１シーケンスのシーケンスコードに基づき得られる。
【００５８】
本願の実施例は第２シーケンスを確定する２種の方式を提供し、以下、それぞれ説明する。
【００５９】
方式１
好ましくは、図３に示すように、図２中の２３０、すなわち端末装置が該第１シーケンスに基づき、該ターゲットフィードバック情報を搬送するための第２シーケンスを確定することは、ステップ２３１及び２３２を含む。
【００６０】
２３１では、端末装置は、該第１シーケンスに基づき、複数種のフィードバック情報と第１マッピング関係を満たす複数のシーケンスのうちの該第１シーケンス以外のシーケンスを確定する。
【００６１】
２３２では、端末装置は、該ターゲットフィードバック情報、及び該第１マッピング関係に基づき、該複数のシーケンスから、該ターゲットフィードバック情報に対応する該第２シーケンスを確定する。
【００６２】
該複数のシーケンスは第２シーケンス及び第１シーケンスを含み、第２シーケンスは第１シーケンスと同じシーケンスであってもよく、これら複数のシーケンスのうちの１シーケンスに基づき取得されるほかのシーケンスであってもよい。
【００６３】
つまり、端末装置は該第１シーケンスに基づき複数のシーケンスのうちのほかのシーケンスを確定し、これら複数のシーケンスと複数のフィードバック情報は第１マッピング関係を満たし、該第１マッピング関係はこれらの複数のシーケンスと複数のフィードバック情報との対応関係を示し、該対応関係は、例えばテーブル、式、画像等の方式によって示される。すなわち、端末装置は予め設定された、複数のシーケンスと複数のフィードバック情報との対応関係を含むテーブルを検索することで、該ターゲットフィードバック情報に対応する第２シーケンスを確定し、又は、端末装置はめ設定された式及び該ターゲットフィードバック情報に関連するパラメータによって、該ターゲットフィードバック情報に対応する該第２シーケンスの識別子又は番号を計算する。本願では、それを限定しない。端末装置はターゲットダウンリンクデータに対するターゲットフィードバック情報、及び該第１マッピング関係に基づき、該ターゲットフィードバック情報に対応する第２シーケンスを確定することができる。
【００６４】
該実施例では、端末装置は複数のシーケンスを事前に確定しておくことで、後続の伝送では直接ターゲットフィードバック情報に基づき複数のシーケンスのうちの該ターゲットフィードバック情報を搬送するためのシーケンスを選択し、従って、毎回シーケンスの計算を行う必要がない。
【００６５】
好ましくは、該第１マッピング関係はネットワーク装置によって端末装置に対して設定される。端末装置は該第１シーケンスに基づき、複数のシーケンスのうちの該第１シーケンス以外のシーケンスを確定する前に、端末装置はネットワーク装置から送信される該第２構成情報を受信し、該第２構成情報は該第１マッピング関係を含む。又は、該第１マッピング関係は端末装置とネットワーク装置によって事前に決められた例えばプロトコルに規定される。
【００６６】
好ましくは、該複数のシーケンスの数は伝送パラメータに基づいて確定され、該伝送パラメータは、該ターゲットダウンリンクデータ中のトランスポートブロックの数、該ターゲットダウンリンクデータ中のコードブロックグループの数、該ターゲットダウンリンクデータ中の該トランスポートブロックの数と該コードブロックグループの数との積、該ターゲットフィードバック情報の最大ビット数のうちのいずれか一つを含む。
【００６７】
好ましくは、端末装置が該第１シーケンスに基づき、複数のシーケンスのうちの該第１シーケンス以外のシーケンスを確定する前に、該方法は、端末装置がネットワーク装置から送信される該伝送パラメータを受信するステップをさらに含む。
【００６８】
好ましくは、該伝送パラメータの値がｎであると、該複数のシーケンスの数が２ｎ（ｎが正の整数である）である。
【００６９】
例えば、該伝送パラメータがターゲットダウンリンクデータ中のトランスポートブロックの数であり、且つ該トランスポートブロックの数がｎ＝１である場合、フィードバック情報を搬送するためのシーケンスは２個であり、一方はＡＣＫを搬送し、他方はＮＡＣＫを搬送し、該トランスポートブロックの数がｎ＝２である場合、フィードバック情報を搬送するためのシーケンスは２２＝４個であり、それぞれＡＣＫとＡＣＫ、ＡＣＫとＮＡＣＫ（ＡＣＫを伝送してからＮＡＣＫを伝送する）、ＮＡＣＫとＡＣＫ（ＮＡＣＫを伝送してからＡＣＫを伝送する）、ＮＡＣＫとＮＡＣＫを搬送する。
【００７０】
該複数のシーケンスにおいて、各シーケンスは１個のオフセット値に対応し、各シーケンスのシーケンス番号と第１シーケンスのシーケンス番号との差分が各シーケンスに対応する該オフセット値である。例えば、該複数のシーケンスのうちの該第１シーケンス以外のシーケンスでは、各シーケンスのシーケンス番号は、該第１シーケンスのシーケンス番号と該各シーケンスに対応するオフセット値との和に等しい。好ましくは、これら異なるシーケンス番号を有するシーケンスは、基礎シーケンスを循環シフトさせて生成される一連のシーケンスであってもよい。
【００７１】
好ましくは、端末装置が該第１シーケンスに基づき、複数のシーケンスのうちの該第１シーケンス以外のシーケンスを確定する前に、該方法は、端末装置がネットワーク装置から送信される第１構成情報であって、該各シーケンスに対応するオフセット値を含む第１構成情報を受信するステップをさらに含む。又は、該オフセット値は端末装置とネットワーク装置によって事前に決められた例えばプロトコルに規定される。
【００７２】
例えば、表１に示される第１マッピング関係のように、該ターゲットダウンリンクデータ中のトランスポートブロックの数がｎ＝１、シーケンス総数が２、表１がｎ＝１時の第１マッピング関係であることを仮定する。フィードバック情報がＡＣＫを含む場合、シーケンスＳｉを使用して該フィードバック情報を搬送し、フィードバック情報がＮＡＣＫを含む場合、シーケンスＳｉ＋Δｏｆｆｓｅｔ，０を使用して該フィードバック情報を搬送する。
【表１】
2020518181.tif 000017
【００７３】
端末装置はネットワーク装置から送信されるシーケンス指示情報を受信した後、第１シーケンスの番号Ｓｉとターゲットダウンリンクデータに搬送されるトランスポートブロック（ＴＢ：Ｔｒａｎｓｍｉｓｓｉｏｎ  Ｂｌｏｃｋ）の数ｎ＝１を取得する。端末装置は第１シーケンス及び表１の複数のシーケンスの各々に対応するオフセット値に基づき、該複数のシーケンスを確定する。端末装置はトランスポートブロックをデコードし、ターゲットダウンリンクデータに対するターゲットフィードバック結果を確定し、表１に示される第１マッピング関係に基づき、該複数のシーケンスのうちの、該ターゲットフィードバック結果に対応する該ターゲットフィードバック結果を搬送するためのシーケンスを確定し、該ターゲットフィードバック結果がＡＣＫを含む場合、端末装置はネットワーク装置にシーケンスＳｉを送信し、該ターゲットフィードバック結果がＮＡＣＫを含む場合、端末装置はネットワーク装置にシーケンスＳｉ＋Δｏｆｆｓｅｔ，０を送信し、該オフセット値Δｏｆｆｓｅｔ，０は例えば１である。
【００７４】
また、例えば、表２に示される第１マッピング関係のように、該ターゲットフィードバック情報の最大ビット数がｎ＝２、シーケンス総数が４、表２がｎ＝２時の第１マッピング関係であることを仮定する。フィードバック情報がＡＣＫとＡＣＫを含む場合、シーケンスＳｉを使用して該フィードバック情報を搬送し、フィードバック情報がＡＣＫとＮＡＣＫを含む場合、シーケンスＳｉ＋Δｏｆｆｓｅｔ，０を使用して該フィードバック情報を搬送し、フィードバック情報がＮＡＣＫとＡＣＫを含む場合、シーケンスＳｉ＋Δｏｆｆｓｅｔ，１を使用して該フィードバック情報を搬送し、フィードバック情報がＮＡＣＫとＮＡＣＫを含む場合、シーケンスＳｉ＋Δｏｆｆｓｅｔ，２を使用して該フィードバック情報を搬送する。
【表２】
2020518181.tif 000018
【００７５】
端末装置はネットワーク装置から送信されるシーケンス指示情報を受信した後、第１シーケンスの番号Ｓｉを取得する。端末装置は第１シーケンスと表２の複数のシーケンスの各々に対応するオフセット値に基づき、該複数のシーケンスを確定する。端末装置はターゲットダウンリンクデータに対するターゲットフィードバック結果を確定し、表２に示される第１マッピング関係に基づき、該複数のシーケンスのうちの、該ターゲットフィードバック結果に対応する該ターゲットフィードバック結果を搬送するためのシーケンスを確定し、該フィードバック結果がＡＣＫとＡＣＫを含む場合、端末装置はネットワーク装置にシーケンスＳｉを送信し、該フィードバック結果がＡＣＫとＮＡＣＫを含む場合、端末装置はネットワーク装置にシーケンスＳｉ＋Δｏｆｆｓｅｔ，０を送信し、該フィードバック結果がＮＡＣＫとＡＣＫを含む場合、端末装置はネットワーク装置にシーケンスＳｉ＋Δｏｆｆｓｅｔ，１を送信し、該フィードバック結果がＮＡＣＫとＮＡＣＫを含む場合、端末装置はネットワーク装置にシーケンスＳｉ＋Δｏｆｆｓｅｔ，２を送信する。オフセット値Δｏｆｆｓｅｔ，０＝１、Δｏｆｆｓｅｔ，１＝２、Δｏｆｆｓｅｔ，２＝３であってもよい。
【００７６】
方式２
好ましくは、図４に示すように、図２中の２３０、すなわち端末装置が該第１シーケンスに基づき、該ターゲットフィードバック情報を搬送するための第２シーケンスを確定することは、ステップ２３３及び２３４を含む。
【００７７】
２３３では、端末装置はターゲットフィードバック情報、及び第２マッピング関係に基づき、複数のオフセット値からターゲットフィードバック情報に対応するターゲットオフセット値を確定し、該第２マッピング関係が、該複数のオフセット値と複数種のフィードバック情報との対応関係を示す。
【００７８】
２３４では、端末装置は該第１シーケンスと該ターゲットオフセット値に基づき該第２シーケンスを確定する。
【００７９】
第２シーケンスは第１シーケンスと同じシーケンス（ターゲットオフセット値は０）であってもよく、それぞれ対応するオフセット値及び第１シーケンスに基づき取得されるほかのシーケンスであってもよい。
【００８０】
つまり、端末装置は先ずターゲットフィードバック情報と第２マッピング関係に基づき、複数のオフセット値からターゲットフィードバック情報に対応するターゲットオフセット値を確定し、該第２マッピング関係は該複数のオフセット値と複数種のフィードバック情報との対応関係を示し、該対応関係は、例えばテーブル、式、画像等の方式によって示される。すなわち、端末装置は予め設定された、複数のオフセット値と複数のフィードバック情報との対応関係を含むテーブルを検索することで、該ターゲットフィードバック情報に対応するターゲットオフセット値を確定し、又は、端末装置は予め設定された式及び該ターゲットフィードバック情報に関連するパラメータによって、該ターゲットフィードバック情報に対応する該ターゲットオフセット値を計算し、本願では、それを限定しない。次に、端末装置は該第１シーケンスと該ターゲットオフセット値に基づき、該ターゲットフィードバック情報を搬送するための第２シーケンスを確定し、例えば該第２シーケンスのシーケンス番号は第１シーケンスのシーケンス番号と該ターゲットオフセット値との和に等しい。
【００８１】
該実施例では、方式１のように複数のシーケンスを事前に確定しておく必要がなく、端末装置はターゲットフィードバック情報に対応するオフセット値を確定することで、直接第１シーケンスと該オフセット値に基づき、該ターゲットフィードバック情報を搬送するためのシーケンスを計算する。
【００８２】
好ましくは、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【００８３】
好ましくは、該伝送パラメータの値がｎであると、該複数のオフセット値の数が２ｎ（ｎが正の整数である）である。
【００８４】
好ましくは、端末装置が複数のオフセット値を確定する前に、該方法は、端末装置がネットワーク装置から送信される該伝送パラメータを受信するステップをさらに含む。
【００８５】
好ましくは、端末がターゲットフィードバック情報、及び第２マッピング関係に基づき、複数のオフセット値からターゲットフィードバック情報に対応するターゲットオフセット値を確定する前に、該方法は、端末装置がネットワーク装置から送信される第３構成情報であって、該第２マッピング関係を含む第３構成情報を受信するステップをさらに含む。
【００８６】
好ましくは、第２マッピング関係は端末装置とネットワーク装置によって事前に決められた例えばプロトコルに規定される。
【００８７】
例えば、表３に示される第２マッピング関係のように、該ターゲットダウンリンクデータ中のトランスポートブロックの数がｎ＝１、オフセット値の数が２、表３がｎ＝１時の第２マッピング関係であることを仮定する。フィードバック情報がＡＣＫを含む場合、オフセット値がΔｏｆｆｓｅｔ，０であり、フィードバック情報がＮＡＣＫを含む場合、オフセット値がΔｏｆｆｓｅｔ，１である。
【表３】
2020518181.tif 000019
【００８８】
端末装置はネットワーク装置から送信されるシーケンス指示情報を受信した後、第１シーケンスの番号Ｓｉとターゲットダウンリンクデータに搬送されるトランスポートブロックＴＢの数ｎ＝１を取得する。端末装置はトランスポートブロックをデコードし、ターゲットダウンリンクデータに対するターゲットフィードバック結果を確定し、表３に示される第２マッピング関係に基づき、該ターゲットフィードバック結果に対応するターゲットオフセット値を確定し、該ターゲットフィードバック結果がＡＣＫを含む場合、対応するターゲットオフセット値がΔｏｆｆｓｅｔ，０であり、該ターゲットフィードバック結果がＮＡＣＫを含む場合、対応するターゲットオフセット値がΔｏｆｆｓｅｔ，１であり、該オフセット値Δｏｆｆｓｅｔ，０が例えば０であり、Δｏｆｆｓｅｔ，１が１である。その後、端末装置は第１シーケンスのシーケンス番号とターゲットオフセット値とを加算し、ターゲットフィードバック結果を搬送するための第２シーケンスのシーケンス番号を得て、ネットワーク装置に該第２シーケンスを送信する。
【００８９】
また、例えば、表４に示される第２マッピング関係のように、該ターゲットフィードバック情報の最大ビット数がｎ＝２、オフセット値の数が４、表４がｎ＝２時の第２マッピング関係であることを仮定する。フィードバック情報がＡＣＫとＡＣＫを含む場合、オフセット値がΔｏｆｆｓｅｔ，０であり、フィードバック情報がＡＣＫとＮＡＣＫを含む場合、オフセット値がΔｏｆｆｓｅｔ，１であり、フィードバック情報がＮＡＣＫとＡＣＫを含む場合、オフセット値がΔｏｆｆｓｅｔ，２であり、フィードバック情報がＮＡＣＫとＮＡＣＫを含む場合、オフセット値がΔｏｆｆｓｅｔ，３である。
【表４】
2020518181.tif 000020
【００９０】
端末装置はネットワーク装置から送信されるシーケンス指示情報を受信した後、第１シーケンスの番号Ｓｉを取得する。端末装置はターゲットダウンリンクデータに対するターゲットフィードバック結果を確定し、表４に示される第２マッピング関係に基づき、該ターゲットフィードバック結果に対応するターゲットオフセット値を確定し、該ターゲットフィードバック結果がＡＣＫとＡＣＫを含む場合、対応するターゲットオフセット値がΔｏｆｆｓｅｔ，０であり、該フィードバック結果がＡＣＫとＮＡＣＫを含む場合、対応するターゲットオフセット値がΔｏｆｆｓｅｔ，１であり、該フィードバック結果がＮＡＣＫとＡＣＫを含む場合、対応するターゲットオフセット値がΔｏｆｆｓｅｔ，２であり、該フィードバック結果がＮＡＣＫとＮＡＣＫを含む場合、対応するターゲットオフセット値がΔｏｆｆｓｅｔ，３である。オフセット値Δｏｆｆｓｅｔ，０＝０、Δｏｆｆｓｅｔ，１＝１、Δｏｆｆｓｅｔ，２＝２、Δｏｆｆｓｅｔ，３＝３であってもよい。その後、端末装置は第１シーケンスのシーケンス番号とターゲットオフセット値とを加算し、ターゲットフィードバック結果を搬送するための第２シーケンスのシーケンス番号を得て、ネットワーク装置に該第２シーケンスを送信する。
【００９１】
２４０では、端末装置はネットワーク装置に該第２シーケンスを送信する。
【００９２】
図５は本願の実施例に係る情報伝送方法５００の概略フローチャートである。図５中の情報伝送方法はネットワーク装置、例えば図１に示されるネットワーク装置１０によって実行されてもよい。図５に示すように、該伝送情報のプロセスは具体的には、ステップ５１０〜５３０を含む。
【００９３】
５１０では、ネットワーク装置は、第１シーケンスを指示するためのシーケンス指示情報を端末装置に送信する。
【００９４】
該第１シーケンスはダウンリンクデータに対するフィードバック情報を搬送するシーケンスを取得することに用いられる。
【００９５】
５２０では、ネットワーク装置は端末装置にターゲットダウンリンクデータを送信する。
【００９６】
５３０では、ネットワーク装置は端末装置が該第１シーケンスに基づいて送信する第２シーケンスを受信し、該第２シーケンスは該ターゲットダウンリンクデータに対するターゲットフィードバック情報を搬送する。
【００９７】
具体的には、ネットワーク装置が端末装置に送信する第１シーケンスは、端末装置がダウンリンクデータに対するフィードバック情報を搬送するためのシーケンスを確定することに用いられる。ネットワーク装置は端末装置にターゲットダウンリンクデータを送信した後、端末装置が該第１シーケンスに基づき該ターゲットダウンリンクデータに対するターゲットフィードバック情報を搬送するための第２シーケンスを確定するプロセスは具体的には、図２〜図４中の２１０〜２４０についての説明を参照すればよく、簡潔にするために、ここで重複説明を省略する。
【００９８】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【００９９】
好ましくは、該複数のシーケンスの数は伝送パラメータに基づいて確定され、該伝送パラメータは、該ターゲットダウンリンクデータ中のトランスポートブロックの数、該ターゲットダウンリンクデータ中のコードブロックグループの数、該ターゲットダウンリンクデータ中の該トランスポートブロックの数と該コードブロックグループの数との積、該ターゲットフィードバック情報の最大ビット数のうちのいずれか一つを含む。
【０１００】
好ましくは、該伝送パラメータの値をｎとし、該複数のシーケンスの数は２ｎ（ｎが正の整数である）である。
【０１０１】
好ましくは、該複数のシーケンスのうちの該第１シーケンス以外のシーケンスでは、各シーケンスのシーケンス番号は、該第１シーケンスのシーケンス番号と該各シーケンスに対応するオフセット値との和に等しい。
【０１０２】
好ましくは、ネットワーク装置は端末装置が第１シーケンスに基づいて送信する第２シーケンスを受信する前に、該方法は、ネットワーク装置が該各シーケンスに対応するオフセット値を含む第１構成情報を端末装置に送信するステップをさらに含む。又は、該オフセット値は端末装置とネットワーク装置によって事前に決められた例えばプロトコルに規定される。
【０１０３】
好ましくは、ネットワーク装置は端末装置が第１シーケンスに基づいて送信する第２シーケンスを受信する前に、該方法は、ネットワーク装置が該第１マッピング関係を含む第２構成情報を端末装置に送信するステップをさらに含む。又は該第１マッピング関係は端末装置とネットワーク装置によって事前に決められた例えばプロトコルに規定される。
【０１０４】
好ましくは、ネットワーク装置は端末装置が第１シーケンスに基づいて送信する第２シーケンスを受信する前に、該方法は、ネットワーク装置が該伝送パラメータを端末装置に送信するステップをさらに含む。
【０１０５】
なお、本願の各種の実施例では、上記各手順の番号の大きさは実行順序を示すものではなく、各手順の実行順序はその機能及び内部ロジックに応じて確定され、本願の実施例の実施手順を限定するものではない。
【０１０６】
図６は本願の実施例に係る端末装置６００の概略ブロック図である。図６に示すように、該端末装置６００は取得ユニット６１０、確定ユニット６２０及び送信ユニット６３０を備える。
【０１０７】
取得ユニット６１０は、ダウンリンクデータに対するフィードバック情報を搬送するシーケンスを確定するための第１シーケンスを取得するように構成され、
確定ユニット６２０は、前記ネットワーク装置から送信されるターゲットダウンリンクデータに基づき、前記ターゲットダウンリンクデータに対するターゲットフィードバック情報を確定するように構成され、
前記確定ユニット６２０はさらに、前記取得ユニット６１０によって取得された前記第１シーケンスに基づき、前記ターゲットフィードバック情報を搬送するための第２シーケンスを確定するように構成され、
送信ユニット６３０は、前記確定ユニット６２０によって確定された前記第２シーケンスを前記ネットワーク装置に送信するように構成される。
【０１０８】
従って、端末装置は第１シーケンスによって現在のダウンリンクデータに対するフィードバック情報を搬送する第２シーケンスを取得することで、アップリンク制御情報を搬送するためのシーケンスを効率的に確定することができる。
【０１０９】
好ましくは、前記確定ユニット６２０は具体的には、前記第１シーケンスに基づき、複数種のフィードバック情報と第１マッピング関係を満たす複数のシーケンスのうちの前記第１シーケンス以外のシーケンスを確定するように構成され、前記端末装置は前記ターゲットフィードバック情報、及び前記第１マッピング関係に基づき、前記複数のシーケンスから、前記ターゲットフィードバック情報に対応する前記第２シーケンスを確定する。
【０１１０】
好ましくは、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１１１】
好ましくは、前記伝送パラメータの値をｎとし、前記複数のシーケンスの数は２ｎ（ｎが正の整数である）である。
【０１１２】
好ましくは、前記端末装置は受信ユニットをさらに備え、前記受信ユニットは、前記確定ユニット６２０が前記第１シーケンスに基づき複数のシーケンスのうちの前記第１シーケンス以外のシーケンスを確定する前に、前記ネットワーク装置から送信される前記伝送パラメータを受信するように構成される。
【０１１３】
好ましくは、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【０１１４】
好ましくは、前記端末装置は受信ユニットをさらに備え、前記受信ユニットはさらに、前記確定ユニット６２０が前記第１シーケンスに基づき複数のシーケンスのうちの前記第１シーケンス以外のシーケンスを確定する前に、前記ネットワーク装置から送信される第１構成情報であって、前記各シーケンスに対応するオフセット値を含む第１構成情報を受信するように構成される。
【０１１５】
好ましくは、前記受信ユニットはさらに、前記確定ユニット６２０が前記第１シーケンスに基づき複数のシーケンスのうちの前記第１シーケンス以外のシーケンスを確定する前に、前記ネットワーク装置から送信される第２構成情報であって、前記第１マッピング関係を含む第２構成情報を受信するように構成される。
【０１１６】
好ましくは、前記第１マッピング関係は前記端末装置と前記ネットワーク装置によって事前に決められる。
【０１１７】
好ましくは、前記確定ユニット６２０は具体的には、前記ターゲットフィードバック情報、及び前記複数のオフセット値と複数種のフィードバック情報との対応関係を示す第２マッピング関係に基づき、複数のオフセット値から前記ターゲットフィードバック情報に対応するターゲットオフセット値を確定し、前記第１シーケンスと前記ターゲットオフセット値に基づき前記第２シーケンスを確定するように構成される。
【０１１８】
好ましくは、前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１１９】
好ましくは、前記伝送パラメータの値をｎとし、前記複数のオフセット値の数は２ｎ（ｎが正の整数である）である。
【０１２０】
好ましくは、前記端末装置は受信ユニットをさらに備え、前記受信ユニットは、前記確定ユニット６２０が複数のオフセット値を確定する前に、前記ネットワーク装置から送信される前記伝送パラメータを受信するように構成される。
【０１２１】
好ましくは、前記第２シーケンスのシーケンス番号は前記第１シーケンスのシーケンス番号と前記ターゲットオフセット値との和に等しい。
【０１２２】
好ましくは、前記受信ユニットはさらに、前記確定ユニット６２０が前記ターゲットフィードバック情報、及び前記第２マッピング関係に基づき、前記複数のオフセット値から前記ターゲットフィードバック情報に対応するターゲットオフセット値を確定する前に、前記ネットワーク装置から送信される第３構成情報であって、前記第２マッピング関係を含む第３構成情報を受信するように構成される。
【０１２３】
好ましくは、前記第２マッピング関係は前記端末装置と前記ネットワーク装置によって事前に決められる。
【０１２４】
好ましくは、前記取得ユニット６１０は具体的には、前記ネットワーク装置から送信されるシーケンス指示情報であって、前記第１シーケンスを明示的又は黙示的に指示するためのシーケンス指示情報を受信するように構成される。
【０１２５】
好ましくは、前記取得ユニット６１０は具体的には、前記ネットワーク装置から送信されるシーケンス指示情報を受信し、前記シーケンス指示情報を受信するための物理リソースに基づき、前記物理リソースに対応する前記第１シーケンスを確定するように構成される。
【０１２６】
図７は本願の実施例に係るネットワーク装置７００の概略ブロック図である。図７に示すように、該ネットワーク装置７００は送信ユニット７１０及び受信ユニット７２０を備える。
【０１２７】
送信ユニット７１０は、ダウンリンクデータに対するフィードバック情報を搬送するシーケンスを確定するための第１シーケンスを指示するためのシーケンス指示情報を端末装置に送信するように構成され、
前記送信ユニット７１０はさらに、ターゲットダウンリンクデータを前記端末装置に送信するように構成され、
受信ユニット７２０は、前記端末装置が前記第１シーケンスに基づいて送信する第２シーケンスであって、前記ターゲットダウンリンクデータに対するターゲットフィードバック情報を搬送するための第２シーケンスを受信する。
【０１２８】
従って、ネットワーク装置は端末装置に第１シーケンスを指示することで、端末装置は該第１シーケンスによって、現在のダウンリンクデータに対するフィードバック情報を搬送する第２シーケンスを取得し、それによりアップリンク制御情報を搬送するためのシーケンスを効率的に確定することができる。
【０１２９】
好ましくは、前記複数のシーケンスの数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含む。
【０１３０】
好ましくは、前記伝送パラメータの値をｎとし、前記複数のシーケンスの数は２ｎ（ｎが正の整数である）である。
【０１３１】
好ましくは、前記送信ユニット７１０はさらに、前記受信ユニット７２０は前記端末装置が第１シーケンスに基づいて送信する第２シーケンスを受信する前に、前記伝送パラメータを前記端末装置に送信するように構成される。
【０１３２】
好ましくは、前記複数のシーケンスのうちの前記第１シーケンス以外のシーケンスでは、各シーケンスのシーケンス番号は、前記第１シーケンスのシーケンス番号と前記各シーケンスに対応するオフセット値との和に等しい。
【０１３３】
好ましくは、前記送信ユニット７１０はさらに、前記受信ユニット７２０は前記端末装置が第１シーケンスに基づいて送信する第２シーケンスを受信する前に、前記各シーケンスに対応するオフセット値を含む第１構成情報を前記端末装置に送信するように構成される。
【０１３４】
好ましくは、前記送信ユニット７１０はさらに、前記受信ユニット７２０は前記端末装置が第１シーケンスに基づいて送信する第２シーケンスを受信する前に、複数のシーケンスと複数種のフィードバック情報との対応関係を示すための前記第１マッピング関係を含む第２構成情報を前記端末装置に送信するように構成される。
【０１３５】
好ましくは、前記送信ユニット７１０はさらに、前記受信ユニット７２０は前記端末装置が第１シーケンスに基づいて送信する第２シーケンスを受信する前に、複数のオフセット値と前記複数種のフィードバック情報との対応関係を示すための第２マッピング関係を含む第３構成情報を前記端末装置に送信するように構成される。
【０１３６】
図８は本願の実施例に係る端末装置８００の概略構成図である。図８に示すように、該端末装置はプロセッサ８１０、送受信機８２０及びメモリ８３０を備え、該プロセッサ８１０、送受信機８２０及びメモリ８３０は内部接続通路を介して相互に通信する。該メモリ８３０は命令を記憶し、該プロセッサ８１０は該メモリ８３０に記憶される命令を実行して、該送受信機８２０による信号の送受信を制御する。
【０１３７】
該プロセッサ８１０は、ダウンリンクデータに対するフィードバック情報を搬送するシーケンスを確定するための第１シーケンスを取得し、前記ネットワーク装置から送信されるターゲットダウンリンクデータに基づき、前記ターゲットダウンリンクデータに対するターゲットフィードバック情報を確定し、前記取得ユニットによって取得された前記第１シーケンスに基づき、前記ターゲットフィードバック情報を搬送するための第２シーケンスを確定するように構成され、
該送受信機８２０は、前記確定ユニットによって確定される前記第２シーケンスを前記ネットワーク装置に送信するように構成される。
【０１３８】
好ましくは、該プロセッサ８１０はメモリ８３０に記憶されたプログラムコードを呼び出し、図２に示される方法２００中の端末装置の対応する操作を実行し、簡潔にするために、ここで重複説明を省略する。
【０１３９】
なお、本願の実施例では、該プロセッサ８１０は中央処理装置（ＣＰＵ：Ｃｅｎｔｒａｌ  Ｐｒｏｃｅｓｓｉｎｇ  Ｕｎｉｔ）であってもよく、該プロセッサ８１０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は該プロセッサは任意の通常のプロセッサ等である。
【０１４０】
該メモリ８３０は読み出し専用メモリ及びランダムアクセスメモリを含んでもよく、プロセッサ８１０に命令とデータを提供する。メモリ８３０の一部は不揮発性ランダムアクセスメモリを含んでもよい。例えば、メモリ８３０はさらにデバイスのタイプに関する情報を記憶する。
【０１４１】
実現中、上記方法の各ステップはプロセッサ８１０のハードウェアの集積論理回路又はソフトウェアの形態の命令で行われる。本願の実施例を参照して開示されている特定方法のステップは直接ハードウェアプロセッサによって実行され、又はプロセッサ８１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ８３０に位置し、プロセッサ８１０はメモリ８３０中の情報を読み取り、そのハードウェアと組み合わせて上記方法のステップを実行する。重複を避けるため、ここで詳細説明を省略する。
【０１４２】
本願の実施例に係る端末装置８００は上記方法２００において方法２００を実行するための端末装置、及び本願の実施例に係る端末装置５００に対応でき、且つ該端末装置８００の各ユニット又はモジュールはそれぞれ上記方法２００中の端末装置によって実行される各動作又は処理過程を実行し、ここで、重複を避けるため、ここで詳細説明を省略する。
【０１４３】
図９は本願の実施例に係るネットワーク装置９００の概略構成図である。図９に示すように、該ネットワーク装置はプロセッサ９１０、送受信機９２０及びメモリ９３０を備え、該プロセッサ９１０、送受信機９２０及びメモリ９３０は内部接続通路を介して相互に通信する。該メモリ９３０は命令を記憶し、該プロセッサ９１０は該メモリ９３０に記憶される命令を実行して、該送受信機９２０による信号の送受信を制御する。
【０１４４】
該送受信機９２０は、ダウンリンクデータに対するフィードバック情報を搬送するシーケンスを確定するための第１シーケンスを指示するためのシーケンス指示情報を端末装置に送信し、ターゲットダウンリンクデータを前記端末装置に送信し、前記端末装置が前記第１シーケンスに基づいて送信する第２シーケンスであって、前記ターゲットダウンリンクデータに対するターゲットフィードバック情報を搬送するための第２シーケンスを受信するように構成される。
【０１４５】
好ましくは、該プロセッサ９１０はメモリ９３０に記憶されたプログラムコードを呼び出し、図４に示される方法４００中のネットワーク装置の対応する操作を実行し、簡潔にするために、ここで重複説明を省略する。
【０１４６】
なお、本願の実施例では、該プロセッサ９１０は中央処理装置（ＣＰＵ：Ｃｅｎｔｒａｌ  Ｐｒｏｃｅｓｓｉｎｇ  Ｕｎｉｔ）であってもよく、該プロセッサ９１０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は該プロセッサは任意の通常のプロセッサ等である。
【０１４７】
該メモリ９３０は読み出し専用メモリ及びランダムアクセスメモリを含んでもよく、プロセッサ９１０に命令とデータを提供する。メモリ９３０の一部は不揮発性ランダムアクセスメモリを含んでもよい。例えば、メモリ９３０はさらにデバイスのタイプに関する情報を記憶する。
【０１４８】
実現中、上記方法の各ステップはプロセッサ９１０のハードウェアの集積論理回路又はソフトウェアの形態の命令で行われる。本願の実施例を参照して開示されている特定方法のステップは直接ハードウェアプロセッサによって実行され、又はプロセッサ９１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ９３０に位置し、プロセッサ９１０はメモリ９３０中の情報を読み取り、そのハードウェアと組み合わせて上記方法のステップを実行する。重複を避けるため、ここで詳細説明を省略する。
【０１４９】
本願の実施例に係るネットワーク装置９００は上記方法２００において方法５００を実行するためのネットワーク装置、及び本願の実施例に係るネットワーク装置７００に対応でき、且つ該ネットワーク装置９００の各ユニット又はモジュールはそれぞれ上記方法５００中のネットワーク装置によって実行される各動作又は処理過程を実行し、ここで、重複を避けるため、ここで詳細説明を省略する。
【０１５０】
図１０は本願の実施例に係るシステムチップの概略構成図である。図１０のシステムチップ１０００は入力インタフェース１００１、出力インタフェース１００２、少なくとも１つのプロセッサ１００３、及びメモリ１００４をそなえ、前記入力インタフェース１００１、出力インタフェース１００２、前記プロセッサ１００３及びメモリ１００４は内部接続通路を介して相互に接続される。前記プロセッサ１００３は前記メモリ１００４中のコードを実行する。
【０１５１】
好ましくは、前記コードが実行される時、前記プロセッサ１００３は方法の実施例において端末装置により実行される方法２００を実現できる。簡潔にするために、ここで重複説明を省略する。
【０１５２】
好ましくは、前記コードが実行される時、前記プロセッサ１００３は方法の実施例においてネットワーク装置により実行される方法５００を実現できる。簡潔にするために、ここで重複説明を省略する。
【０１５３】
当業者であれば、本明細書に開示されている実施例を参照して説明される各例のユニット及びアルゴリズムステップは、電子ハードウェア、又はコンピュータソフトウェアと電子ハードウェアの組合せによって実現できると理解できる。これらの機能をハードウェアで実行するかソフトウェアで実行するかは、技術案の特定の用途及び設計制約条件に応じて決定される。当業者は本願の範囲を逸脱せずに、各特定の用途に応じて、説明された機能を異なる方法で実現できる。
【０１５４】
当業者は、説明の便宜および簡潔さのために、上記システム、装置及びユニットの具体的な動作過程が、上記方法の実施例中の対応する過程を参照すればよいため、ここで詳細説明を省略すると明確に理解できる。
【０１５５】
本願に係るいくつかの実施例では、開示されているシステム、装置及び方法をほかの形態で実現できると理解すべきである。例えば、上記装置の実施例は単に例示的なものであり、例えば、前記ユニットの分割は単にロジック機能分割であり、実際の実装では別の分割方式を採用してもよく、例えば複数のユニット又は要素を別のシステムに結合又は集積し、又いくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１５６】
前記分離部材として説明されたユニットは物理的に分離しているものであってもよく、物理的に分離しているものでなくてもよく、ユニットして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１５７】
また、本願の実施例の各々における各機能ユニットは１つの処理ユニットに集積されてもよく、別々に物理的に存在してもよく、２つ又は２つ以上のユニットは１つのユニットに集積されてもよい。
【０１５８】
前記機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプログラムコードを記憶可能な種々の媒体を含む。
【０１５９】
以上、本願の具体的な実施形態を説明したが、本願の実施例の保護範囲を限定するものではない。当業者が本願の実施例に開示されている技術範囲を逸脱せずに容易に想到し得る変更や置換はすべて本願の権利保護範囲に属する。従って、本願の実施例の保護範囲は前記特許請求の範囲の保護範囲に準じるべきである。
【手続補正２】
【補正対象書類名】特許請求の範囲
【補正対象項目名】全文
【補正方法】変更
【補正の内容】
【特許請求の範囲】
【請求項１】
情報伝送方法であって、
端末装置が、第１シーケンスを取得するステップと、
前記端末装置が、前記ネットワーク装置から送信されるターゲットダウンリンクデータに基づき、前記ターゲットダウンリンクデータに対するターゲットフィードバック情報を確定するステップと、
前記端末装置が、前記第１シーケンスに基づき、前記ターゲットフィードバック情報を搬送するための第２シーケンスを確定するステップと、
前記端末装置は、前記ネットワーク装置に前記第２シーケンスを送信するステップと、を含むことを特徴とする方法。
【請求項２】
前記端末装置が前記第１シーケンスに基づき、前記ターゲットフィードバック情報を搬送するための第２シーケンスを確定することは、
前記端末装置が、前記ターゲットフィードバック情報、及び第２マッピング関係に基づき、複数のオフセット値から前記ターゲットフィードバック情報に対応するターゲットオフセット値を確定するステップであって、前記第２マッピング関係が、前記複数のオフセット値と複数種のフィードバック情報との対応関係を示す、ステップと、
前記端末装置が、前記第１シーケンスと前記ターゲットオフセット値に基づき前記第２シーケンスを確定するステップと、を含むことを特徴とする請求項１に記載の方法。
【請求項３】
前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項２に記載の方法。
【請求項４】
前記端末装置が複数のオフセット値を確定する前に、
前記端末装置が、前記ネットワーク装置から送信される前記伝送パラメータを受信するステップをさらに含むことを特徴とする請求項３に記載の方法。
【請求項５】
前記第２シーケンスのシーケンス番号は、前記第１シーケンスのシーケンス番号と前記ターゲットオフセット値との和に等しいことを特徴とする請求項２〜４のいずれか一項に記載の方法。
【請求項６】
前記第２マッピング関係はプロトコルによって事前に決められることを特徴とする請求項２〜５のいずれか一項に記載の方法。
【請求項７】
前記端末装置が第１シーケンスを取得することは、
前記端末装置が、前記ネットワーク装置から送信されるシーケンス指示情報であって、前記第１シーケンスを明示的又は黙示的に指示するためのシーケンス指示情報を受信するステップを含むことを特徴とする請求項１〜６のいずれか一項に記載の方法。
【請求項８】
端末装置であって、取得ユニット、確定ユニット、及び送信ユニットを備え、
前記取得ユニットは、第１シーケンスを取得するように構成され、
前記確定ユニットは、前記ネットワーク装置から送信されるターゲットダウンリンクデータに基づき、前記ターゲットダウンリンクデータに対するターゲットフィードバック情報を確定するように構成され、
前記確定ユニットはさらに、前記取得ユニットによって取得された前記第１シーケンスに基づき、前記ターゲットフィードバック情報を搬送するための第２シーケンスを確定するように構成され、
前記送信ユニットは、前記確定ユニットによって確定される前記第２シーケンスを前記ネットワーク装置に送信するように構成されることを特徴とする端末装置。
【請求項９】
前記確定ユニットは具体的には、
前記ターゲットフィードバック情報、及び第２マッピング関係に基づき、複数のオフセット値から前記ターゲットフィードバック情報に対応するターゲットオフセット値を確定するように構成され、前記第２マッピング関係が、前記複数のオフセット値と複数種のフィードバック情報との対応関係を示し、及び
前記第１シーケンスと前記ターゲットオフセット値に基づき前記第２シーケンスを確定するように構成されることを特徴とする請求項８に記載の端末装置。
【請求項１０】
前記複数のオフセット値の数は伝送パラメータに基づいて確定され、前記伝送パラメータは、前記ターゲットダウンリンクデータ中のトランスポートブロックの数、前記ターゲットダウンリンクデータ中のコードブロックグループの数、前記ターゲットダウンリンクデータ中の前記トランスポートブロックの数と前記コードブロックグループの数との積、前記ターゲットフィードバック情報の最大ビット数のうちのいずれか一つを含むことを特徴とする請求項９に記載の端末装置。
【請求項１１】
前記端末装置は受信ユニットをさらに備え、前記受信ユニットは、
前記確定ユニットが複数のオフセット値を確定する前に、前記ネットワーク装置から送信される前記伝送パラメータを受信するように構成されることを特徴とする請求項１０に記載の端末装置。
【請求項１２】
前記第２シーケンスのシーケンス番号は前記第１シーケンスのシーケンス番号と前記ターゲットオフセット値との和に等しいことを特徴とする請求項９〜１１のいずれか一項に記載の端末装置。
【請求項１３】
前記第２マッピング関係はプロトコルによって事前に決められることを特徴とする請求項９〜１２のいずれか一項に記載の端末装置。
【請求項１４】
前記取得ユニットは具体的には、
前記ネットワーク装置から送信されるシーケンス指示情報であって、前記第１シーケンスを明示的又は黙示的に指示するためのシーケンス指示情報を受信するように構成されることを特徴とする請求項９〜１３のいずれか一項に記載の端末装置。
【請求項１５】
前記ターゲットフィードバック情報の最大ビット数が２である場合、複数のオフセット値の数が４であり、又は、
前記ターゲットダウンリンクデータ中の前記トランスポートブロックの数が１である場合、複数のオフセット値の数が２である、
請求項９〜１４のいずれか一項に記載の端末装置。
【手続補正３】
【補正対象書類名】図面
【補正対象項目名】図２
【補正方法】変更
【補正の内容】
【図２】
2020518181.tif 000021
【国際調査報告】
2020518181.tif 000022
2020518181.tif 000023
2020518181.tif 000024
2020518181.tif 000025
2020518181.tif 000026
2020518181.tif 000027
2020518181.tif 000028